(57)【要約】  ユーザ機器(UE)能力に基づく短縮送信時間間隔(TTI)構成のための、ワイヤレス通信のための方法、システム、およびデバイスについて説明する。UEは、1つまたは複数のサポートされた帯域または帯域組合せの各々について、第1の送信時間間隔(TTI)持続時間および第2のTTI持続時間を有する送信を処理するためにUEの能力を決定することであって、第1のTTI持続時間が第2のTTI持続時間よりも短い、決定することを行ってもよい。UEは、基地局に、1つまたは複数のサポートされた帯域または帯域組合せの各々についての能力を表すインジケータを送信してもよい。基地局は、インジケータを受信すること、受信されたインジケータに少なくとも部分的に基づいて、1つまたは複数のサポートされた帯域組合せのうちの第1のサポートされた帯域組合せの周波数帯域内で、コンポーネントキャリアをスケジュールすること、およびスケジューリングに基づいて、コンポーネントキャリアの周波数帯域内で情報を送信することを行ってもよい。
2020519085.tif 000002
【特許請求の範囲】
【請求項１】
ユーザ機器(UE)によるワイヤレス通信のための方法であって、
1つまたは複数のサポートされた帯域または帯域組合せの各々について、第1の送信時間間隔(TTI)持続時間および第2のTTI持続時間を有する送信を処理するために前記UEの能力を決定するステップであって、前記第1のTTI持続時間が前記第2のTTI持続時間よりも短い、ステップと、
基地局に、前記1つまたは複数のサポートされた帯域または帯域組合せの前記各々についての前記能力を表すインジケータを送信するステップと
を含む、方法。
【請求項２】
前記インジケータが、前記UEが前記1つまたは複数のサポートされた帯域または帯域組合せのうちの第1のサポートされた帯域または帯域組合せにおいて、前記第1のTTI持続時間および前記第2のTTI持続時間を同時に処理することが可能であるかどうかを示す、請求項1に記載の方法。
【請求項３】
前記インジケータが、前記UEが前記1つまたは複数のサポートされた帯域または帯域組合せのうちの各帯域において動作するときの前記能力に対する制約をさらに示す、請求項1に記載の方法。
【請求項４】
前記制約が、前記1つまたは複数のサポートされた帯域または帯域組合せのうちの各帯域についての前記UEの処理制約を備える、請求項3に記載の方法。
【請求項５】
前記処理制約が、破棄ウィンドウ深度である、請求項4に記載の方法。
【請求項６】
前記破棄ウィンドウ深度が、アップリンク送信のためのアップリンク破棄ウィンドウ深度と、ダウンリンク送信のためのダウンリンク破棄ウィンドウ深度とを備える、請求項5に記載の方法。
【請求項７】
前記処理制約が、拡張物理ダウンリンク制御チャネル(ePDCCH)ベースのスケジューリング、または復調基準信号(DMRS)ベースの送信モード(TM)、または両方に関連付けられる、請求項4に記載の方法。
【請求項８】
前記UEが、前記1つまたは複数のサポートされた帯域または帯域組合せのうちの各帯域において動作する間、前記第1のTTI持続時間および前記第2のTTI持続時間における送信を同時に処理することが可能であると判定するステップであって、前記インジケータが、前記UEが前記第1のTTI持続時間のための第1のタイムラインに従い、かつ前記第2のTTI持続時間のための第2のタイムラインに従う送信を同時に処理することが可能であることを表す、ステップ
をさらに含む、請求項1に記載の方法。
【請求項９】
前記UEが、前記1つまたは複数のサポートされた帯域または帯域組合せのうちの各帯域において動作する間、前記第1のTTI持続時間および前記第2のTTI持続時間のうちの一方または両方とは異なる第3のTTI持続時間を有する送信を同時に処理することが可能であると判定するステップであって、前記インジケータが、前記UEが前記第3のTTI持続時間のための第3のタイムラインに従う送信を同時に処理することが可能であることを表す、ステップ
をさらに含む、請求項8に記載の方法。
【請求項１０】
前記インジケータを前記送信するステップが、
前記第1のTTI持続時間および前記第2のTTI持続時間のうちの一方または両方とは異なる第3のTTI持続時間を有する送信を処理するために前記UEの能力を送信するステップ
をさらに含む、請求項1に記載の方法。
【請求項１１】
前記インジケータを前記送信するステップが、
前記第1のTTI持続時間または前記第2のTTI持続時間を有するアップリンク送信をサポートするために前記UEのアップリンク能力を示すアップリンクインジケータを送信するステップ
をさらに含む、請求項1に記載の方法。
【請求項１２】
前記アップリンクインジケータが、前記第1のTTI持続時間または前記第2のTTI持続時間を有するアップリンク送信のために、前記UEによってサポートされたアップリンクコンポーネントキャリアの定義された数を示す、請求項11に記載の方法。
【請求項１３】
前記インジケータを前記送信するステップが、
前記第1のTTI持続時間または前記第2のTTI持続時間を有するダウンリンク送信をサポートするために前記UEのダウンリンク能力を示す、ダウンリンクインジケータを送信するステップ
をさらに含む、請求項1に記載の方法。
【請求項１４】
前記ダウンリンクインジケータが、前記第1のTTI持続時間または前記第2のTTI持続時間を有するダウンリンク送信のために、前記UEによってサポートされたダウンリンクコンポーネントキャリアの定義された数を示す、請求項13に記載の方法。
【請求項１５】
前記インジケータが、前記第1のTTI持続時間または前記第2のTTI持続時間を有するアップリンク送信をサポートするための前記UEのアップリンク能力と、前記第1のTTI持続時間または前記第2のTTI持続時間を有するダウンリンク送信をサポートするための前記UEのダウンリンク能力とを示す、請求項1に記載の方法。
【請求項１６】
前記アップリンク能力が前記ダウンリンク能力とは異なる、請求項15に記載の方法。
【請求項１７】
前記インジケータに少なくとも部分的に基づいて、前記1つまたは複数のサポートされた帯域または帯域組合せのうちの第1のサポートされた帯域または帯域組合せにおけるコンポーネントキャリアの第1の数を示す構成メッセージを受信するステップ
をさらに含む、請求項1に記載の方法。
【請求項１８】
前記第1の数が、前記第1のTTI持続時間を有するアップリンクまたはダウンリンク送信のために前記UEによってサポートされたコンポーネントキャリアの定義された数を超える、請求項17に記載の方法。
【請求項１９】
前記インジケータが、前記1つまたは複数のサポートされた帯域または帯域組合せのうちの第1の帯域組合せのうちの少なくとも1つの帯域において、前記第1のTTI持続時間または前記第2のTTI持続時間を有する送信を処理するために前記UEの前記能力を示す、請求項1に記載の方法。
【請求項２０】
前記インジケータが、前記第1のTTI持続時間のための第1のタイムライン、前記第2のTTI持続時間のための第2のタイムライン、または両方に少なくとも部分的に基づく、請求項1に記載の方法。
【請求項２１】
前記インジケータが、前記1つまたは複数のサポートされた帯域または帯域組合せのうちの各帯域上で、前記第1のTTI持続時間および前記第2のTTI持続時間を有する送信をサポートするために前記UEの前記能力を示す、請求項1に記載の方法。
【請求項２２】
前記UEが、前記1つまたは複数のサポートされた帯域または帯域組合せの前記各々において、コンポーネントキャリアごとにまたは帯域ごとにサポートすることが可能である空間レイヤの数を決定するステップであって、前記インジケータが、前記決定された空間レイヤの数に少なくとも部分的に基づいて生成される、ステップ
をさらに含む、請求項1に記載の方法。
【請求項２３】
前記UEが、前記1つまたは複数のサポートされた帯域または帯域組合せのうちの第1のサポートされた帯域または帯域組合せにおいて、コンポーネントキャリアごとにまたは帯域ごとに、第1の数の空間レイヤをサポートすることが可能であると判定するステップであって、前記インジケータが、前記UEが前記第1のサポートされた帯域または帯域組合せにおいて、前記第1の数の空間レイヤ未満である第2の数の空間レイヤをサポートすることが可能であることを示す、ステップ
をさらに含む、請求項22に記載の方法。
【請求項２４】
前記能力に従って、前記第1のTTI持続時間の第1の情報と、前記第2のTTI持続時間の第2の情報とを処理するステップ
をさらに含む、請求項1に記載の方法。
【請求項２５】
前記インジケータが、前記UEが前記第1のTTI持続時間より前に前記第2のTTI持続時間の1つまたは複数のインスタンスにおいて受信された前記第2の情報を破棄する深度を識別する破棄ウィンドウ深度を示し、前記インジケータが、前記破棄ウィンドウ深度を示す、請求項24に記載の方法。
【請求項２６】
前記インジケータが、アップリンク送信のためのアップリンク破棄ウィンドウ深度と、ダウンリンク送信のためのダウンリンク破棄ウィンドウ深度とを示す、請求項25に記載の方法。
【請求項２７】
前記インジケータが、第1のタイムラインに従うアップリンク破棄ウィンドウ深度と、第2のタイムラインに従うダウンリンク破棄ウィンドウ深度とを示す、請求項26に記載の方法。
【請求項２８】
処理ウィンドウ内の前記第2の情報の最大トランスポートブロックサイズ(TBS)および/またはリソースブロックの数と、前記処理ウィンドウ内の前記第1の情報のTBSおよび/またはリソースブロックの数との和を決定するステップと、
前記和をしきい値と比較するステップと
をさらに含む、請求項24に記載の方法。
【請求項２９】
前記和を前記しきい値と前記比較するステップが、
前記和が前記しきい値を満たさないと判定するステップと、
前記第2のTTI持続時間の1つまたは複数のインスタンスにおいて受信された前記第2の情報のうちの少なくともいくつかを破棄するステップと
を含む、請求項28に記載の方法。
【請求項３０】
前記和を前記しきい値と前記比較するステップが、
前記和が前記しきい値を満たすと判定するステップと、
前記第2のTTI持続時間の1つまたは複数のインスタンスにおいて受信された、前記第1の情報および前記第2の情報を処理するステップと
を含む、請求項28に記載の方法。
【請求項３１】
前記インジケータが、前記UEが前記1つまたは複数のサポートされた帯域または帯域組合せのうちの第1のサポートされた帯域または帯域組合せにおいて、前記第1のTTI持続時間を処理することが可能でないことを示す、請求項1に記載の方法。
【請求項３２】
前記インジケータが、前記1つまたは複数のサポートされた帯域または帯域組合せのうちの各帯域において、前記第1のTTI持続時間を処理するために前記UEの能力を示す、請求項1に記載の方法。
【請求項３３】
前記インジケータが、前記1つまたは複数のサポートされた帯域または帯域組合せのうちの第1のサポートされた帯域または帯域組合せにおいて前記第1のTTI持続時間のアップリンクインスタンスを処理するための前記UEの能力を示すアップリンクインジケータと、前記第1のサポートされた帯域または帯域組合せにおいて前記第1のTTI持続時間のダウンリンクインスタンスを処理するための前記UEの能力を示すダウンリンクインジケータとを備える、請求項1に記載の方法。
【請求項３４】
前記インジケータが、前記1つまたは複数のサポートされた帯域または帯域組合せのうちの第1のサポートされた帯域または帯域組合せにおいて第1の長さを有する前記第1のTTI持続時間の第1のインスタンスを処理するための前記UEの能力と、前記第1のサポートされた帯域または帯域組合せにおいて第2の長さを有する前記第1のTTI持続時間の第2のインスタンスを処理するための前記UEの能力とを示す、請求項1に記載の方法。
【請求項３５】
前記インジケータに少なくとも部分的に基づいて、前記UEがサポートすることが可能である第2の数のコンポーネントキャリアを超える前記1つまたは複数のサポートされた帯域または帯域組合せのうちの第1のサポートされた帯域または帯域組合せにおける第1の数のコンポーネントキャリアを用いて前記UEを構成する構成メッセージを受信するステップ
をさらに含む、請求項1に記載の方法。
【請求項３６】
前記基地局が、前記第2の数のコンポーネントキャリアを超える前記UEのための第3の数のコンポーネントキャリアをスケジュールしたと判定するステップと、
前記スケジュールされた第3の数のコンポーネントキャリアのうちの1つまたは複数においてトランスポートされた前記第1のTTI持続時間の第1の情報または前記第2のTTI持続時間の第2の情報のうちの一方または両方をドロップするステップと
をさらに含む、請求項35に記載の方法。
【請求項３７】
前記第1の情報または前記第2の情報のうちの前記ドロップされた一方または両方のための否定応答を送信するステップ
をさらに含む、請求項36に記載の方法。
【請求項３８】
前記第1のTTI持続時間の第1の情報および前記第2のTTI持続時間の第2の情報の処理持続時間が重複していると判定するステップと、
前記第1のTTI持続時間のための肯定応答タイムラインに少なくとも部分的に基づく前記第1の情報のための第1の肯定応答メッセージと、前記第2のTTI持続時間のための肯定応答タイムラインに少なくとも部分的に基づく前記第2の情報のための第2の肯定応答メッセージとを送信するステップと
をさらに含む、請求項1に記載の方法。
【請求項３９】
前記インジケータを前記送信するステップが、
前記UEが前記第1のTTI持続時間および前記第2のTTI持続時間のためにサポートするコンポーネントキャリアの数の間の関係を決定するステップであって、前記インジケータが前記関係を示す、ステップ
を含む、請求項1に記載の方法。
【請求項４０】
前記インジケータが、前記1つまたは複数のサポートされた帯域または帯域組合せのうちの第1のサポートされた帯域または帯域組合せのための拡張物理ダウンリンク制御チャネル(ePDCCH)ベースのスケジューリングのためのサポートを示す、請求項1に記載の方法。
【請求項４１】
前記インジケータが、前記1つまたは複数のサポートされた帯域または帯域組合せのうちの第1のサポートされた帯域または帯域組合せのための復調基準信号(DMRS)ベースの送信モード(TM)のためのサポートを示す、請求項1に記載の方法。
【請求項４２】
前記1つまたは複数のサポートされた帯域または帯域組合せの各々が、キャリアアグリゲーション帯域組合せである、請求項1に記載の方法。
【請求項４３】
基地局におけるワイヤレス通信のための方法であって、
1つまたは複数のサポートされた帯域または帯域組合せの各々について、第1の送信時間間隔(TTI)持続時間および第2のTTI持続時間を有する送信を処理するためのユーザ機器(UE)の能力を表すインジケータを受信するステップであって、前記第1のTTI持続時間が前記第2のTTI持続時間よりも短い、ステップと、
前記受信されたインジケータに少なくとも部分的に基づいて、前記1つまたは複数のサポートされた帯域または帯域組合せのうちの第1のサポートされた帯域または帯域組合せの周波数帯域内で、コンポーネントキャリアをスケジューリングするステップと、
前記スケジューリングに少なくとも部分的に基づいて、前記コンポーネントキャリアの前記周波数帯域内で情報を送信するステップと
を含む、方法。
【請求項４４】
前記インジケータを前記受信するステップが、
前記第1のTTI持続時間および前記第2のTTI持続時間のうちの一方または両方とは異なる第3のTTI持続時間を有する送信を処理するために前記UEの能力を受信するステップ
をさらに含む、請求項43に記載の方法。
【請求項４５】
前記インジケータを前記受信するステップが、
前記第1のTTI持続時間または前記第2のTTI持続時間を有するアップリンク送信をサポートするために前記UEのアップリンク能力を示すアップリンクインジケータを受信するステップ
をさらに含む、請求項43に記載の方法。
【請求項４６】
前記アップリンクインジケータが、前記第1のTTI持続時間または前記第2のTTI持続時間を有するアップリンク送信のための前記UEによってサポートされたアップリンクコンポーネントキャリアの定義された数を示す、請求項45に記載の方法。
【請求項４７】
前記インジケータを前記受信するステップが、
前記第1のTTI持続時間または前記第2のTTI持続時間を有するダウンリンク送信をサポートするための前記UEのダウンリンク能力を示す、ダウンリンクインジケータを受信するステップ
をさらに含む、請求項43に記載の方法。
【請求項４８】
前記ダウンリンクインジケータが、前記第1のTTI持続時間または前記第2のTTI持続時間を有するダウンリンク送信のために、前記UEによってサポートされたダウンリンクコンポーネントキャリアの定義された数を示す、請求項47に記載の方法。
【請求項４９】
前記インジケータが、前記第1のTTI持続時間または前記第2のTTI持続時間を有するアップリンク送信をサポートするための前記UEのアップリンク能力と、前記第1のTTI持続時間または前記第2のTTI持続時間を有するダウンリンク送信をサポートするための前記UEのダウンリンク能力とを示す、請求項43に記載の方法。
【請求項５０】
前記アップリンク能力が前記ダウンリンク能力とは異なる、請求項49に記載の方法。
【請求項５１】
前記インジケータに少なくとも部分的に基づいて、前記第1のサポートされた帯域または帯域組合せにおけるコンポーネントキャリアの第1の数を示す構成メッセージを送信するステップ
をさらに含む、請求項43に記載の方法。
【請求項５２】
前記インジケータが、前記1つまたは複数のサポートされた帯域または帯域組合せのうちの第1の帯域組合せのうちの少なくとも1つの帯域において、前記第1のTTI持続時間または前記第2のTTI持続時間を有する送信を処理するための前記UEの前記能力を示す、請求項43に記載の方法。
【請求項５３】
前記インジケータが、前記第1のTTI持続時間のための第1のタイムライン、前記第2のTTI持続時間のための第2のタイムライン、または両方に少なくとも部分的に基づく、請求項43に記載の方法。
【請求項５４】
前記第1の数が、前記第1のTTI持続時間を有するアップリンクまたはダウンリンク送信のために前記UEによってサポートされたコンポーネントキャリアの定義された数を超える、請求項51に記載の方法。
【請求項５５】
前記インジケータが、前記1つまたは複数のサポートされた帯域または帯域組合せのうちの各帯域上で、前記第1のTTI持続時間および前記第2のTTI持続時間を有する送信をサポートするために前記UEの前記能力を示す、請求項43に記載の方法。
【請求項５６】
前記インジケータが、前記第1のTTI持続時間のための第1のタイムライン、前記第2のTTI持続時間のための第2のタイムライン、または両方に少なくとも部分的に基づく、請求項43に記載の方法。
【請求項５７】
前記インジケータが、前記UEが前記第1のTTI持続時間より前に前記第2のTTI持続時間の1つまたは複数のインスタンスにおいて受信された第2の情報を破棄する深度を識別するための破棄ウィンドウ深度を示す、請求項43に記載の方法。
【請求項５８】
前記インジケータが、アップリンク送信のためのアップリンク破棄ウィンドウ深度と、ダウンリンク送信のためのダウンリンク破棄ウィンドウ深度とを示す、請求項57に記載の方法。
【請求項５９】
前記アップリンク破棄ウィンドウ深度が第1のタイムラインに従うものであり、前記ダウンリンク破棄ウィンドウ深度が第2のタイムラインに従うものである、請求項58に記載の方法。
【請求項６０】
前記インジケータが、前記UEが前記1つまたは複数のサポートされた帯域または帯域組合せのうちの各帯域において動作する間、前記第1のTTI持続時間および前記第2のTTI持続時間における送信を同時に処理することが可能であることを示し、前記インジケータが、前記UEが前記第1のTTI持続時間のための第1のタイムラインに従い、かつ前記第2のTTI持続時間のための第2のタイムラインに従う送信を同時に処理することが可能であることを表す、請求項43に記載の方法。
【請求項６１】
前記インジケータが、前記UEが前記1つまたは複数のサポートされた帯域または帯域組合せのうちの各帯域において動作する間、前記第1のTTI持続時間および前記第2のTTI持続時間のうちの一方または両方とは異なる第3のTTI持続時間を有する送信を同時に処理することが可能であることをさらに示し、前記インジケータが、前記UEが前記第3のTTI持続時間のための第3のタイムラインに従う送信を同時に処理することが可能であることを表す、請求項60に記載の方法。
【請求項６２】
前記UEがサポートするように構成される前記周波数帯域内のコンポーネントキャリアの第1の数を決定するために前記インジケータを処理するステップ
をさらに含む、請求項43に記載の方法。
【請求項６３】
第2の数のコンポーネントキャリアを用いて前記UEを構成するステップであって、前記第2の数のコンポーネントキャリアが、前記UEがサポートするように構成される、前記インジケータにおいて指定されたコンポーネントキャリアの最大数を超える、ステップ
をさらに含む、請求項62に記載の方法。
【請求項６４】
前記周波数帯域内で前記UEのための第2の数のコンポーネントキャリアをスケジュールするステップであって、前記第2の数のコンポーネントキャリアが、前記コンポーネントキャリアの第1の数を超える、ステップ
をさらに含む、請求項62に記載の方法。
【請求項６５】
前記UEが前記第1のTTI持続時間および前記第2のTTI持続時間のためにサポートするコンポーネントキャリアの数の間の関係を決定するために前記インジケータを処理するステップであって、前記コンポーネントキャリアを前記スケジュールするステップが、前記関係に少なくとも部分的に基づく、ステップ
をさらに含む、請求項43に記載の方法。
【請求項６６】
前記コンポーネントキャリアの前記周波数帯域内で前記情報を前記送信するステップが、
前記第1のTTI持続時間において第1の情報および前記第2のTTI持続時間において第2の情報を送信するステップと、
前記第1のTTI持続時間のための肯定応答タイムラインに少なくとも部分的に基づく前記第1の情報のための第1の肯定応答メッセージと、前記第2のTTI持続時間のための肯定応答タイムラインに少なくとも部分的に基づく前記第2の情報のための第2の肯定応答メッセージとを受信するステップと
を含む、請求項43に記載の方法。
【請求項６７】
ワイヤレス通信のための装置であって、
1つまたは複数のサポートされた帯域または帯域組合せの各々について、第1の送信時間間隔(TTI)持続時間および第2のTTI持続時間を有する送信を処理するためにユーザ機器(UE)の能力を決定するための手段であって、前記第1のTTI持続時間が前記第2のTTI持続時間よりも短い、手段と、
前記1つまたは複数のサポートされた帯域または帯域組合せの前記各々についての前記能力を表すインジケータを送信するための手段と
を備える、装置。
【請求項６８】
前記送信するための手段が、
前記第1のTTI持続時間または前記第2のTTI持続時間を有するアップリンク送信のために、前記UEによってサポートされたアップリンクコンポーネントキャリアの定義された数を示すアップリンクインジケータを送信するための手段
をさらに備える、請求項67に記載の装置。
【請求項６９】
前記送信するための手段が、
前記第1のTTI持続時間または前記第2のTTI持続時間を有するダウンリンク送信のために、前記UEによってサポートされたダウンリンクコンポーネントキャリアの定義された数を示す、ダウンリンクインジケータを送信するための手段
をさらに備える、請求項67に記載の装置。
【請求項７０】
前記インジケータに少なくとも部分的に基づいて、前記1つまたは複数のサポートされた帯域または帯域組合せのうちの第1のサポートされた帯域または帯域組合せにおけるコンポーネントキャリアの第1の数を示す構成メッセージを受信するための手段
をさらに備える、請求項67に記載の装置。
【請求項７１】
前記インジケータが、前記1つまたは複数のサポートされた帯域または帯域組合せのうちの各帯域上で、前記第1のTTI持続時間および前記第2のTTI持続時間を有する送信をサポートするための前記UEの能力を示す、請求項67に記載の装置。
【請求項７２】
前記インジケータが、前記UEが前記1つまたは複数のサポートされた帯域または帯域組合せの各々において動作するときの前記能力に対する制約をさらに示す、請求項67に記載の装置。
【請求項７３】
前記制約が、前記UEの処理制約を備える、請求項72に記載の装置。
【請求項７４】
前記処理制約が、最大トランスポートブロックサイズ、リソースブロックの最大数、または両方に関連付けられた破棄ウィンドウ深度である、請求項73に記載の装置。
【請求項７５】
前記処理制約が、拡張物理ダウンリンク制御チャネル(ePDCCH)ベースのスケジューリング、または復調基準信号(DMRS)ベースの送信モード(TM)、または両方に関連付けられる、請求項73に記載の装置。
【請求項７６】
前記UEが、前記1つまたは複数のサポートされた帯域または帯域組合せの各々において動作する間、前記第1のTTI持続時間および前記第2のTTI持続時間における送信を同時に処理することが可能であると判定するための手段であって、前記インジケータが、前記UEが前記第1のTTI持続時間のための第1のタイムラインに従い、かつ前記第2のTTI持続時間のための第2のタイムラインに従う送信を同時に処理することが可能であることを表す、手段
をさらに備える、請求項67に記載の装置。
【請求項７７】
前記UEが、前記1つまたは複数のサポートされた帯域または帯域組合せの各々において、コンポーネントキャリアごとにまたは帯域ごとにサポートすることが可能である、間レイヤの数を決定するための手段であって、前記インジケータが、前記決定された空間レイヤの数に少なくとも部分的に基づいて生成される、手段
をさらに備える、請求項67に記載の装置。
【請求項７８】
前記UEが、前記1つまたは複数のサポートされた帯域または帯域組合せのうちの第1のサポートされた帯域または帯域組合せにおいて、コンポーネントキャリアごとにまたは帯域ごとに、第1の数の空間レイヤをサポートすることが可能であると判定するための手段であって、前記インジケータが、前記UEが前記第1のサポートされた帯域または帯域組合せにおいて、前記第1の数の空間レイヤ未満である第2の数の空間レイヤをサポートすることが可能であることを示す、手段
をさらに備える、請求項77に記載の装置。
【請求項７９】
前記インジケータが、前記UEが前記1つまたは複数のサポートされた帯域または帯域組合せのうちの第1のサポートされた帯域または帯域組合せにおいて、前記第1のTTI持続時間および前記第2のTTI持続時間を同時に処理することが可能であること、前記UEが前記1つまたは複数のサポートされた帯域または帯域組合せのうちの前記第1のサポートされた帯域または帯域組合せにおいて、前記第1のTTI持続時間を処理することが可能でないこと、あるいは前記UEが前記1つまたは複数のサポートされた帯域または帯域組合せの各々において、前記第1のTTI持続時間を処理することが可能であることのうちの少なくとも1つを示す、請求項67に記載の装置。
【請求項８０】
前記インジケータが、前記1つまたは複数のサポートされた帯域または帯域組合せのうちの第1のサポートされた帯域または帯域組合せにおいて、前記第1のTTI持続時間のアップリンクインスタンスを処理するための前記UEの能力を示すアップリンクインジケータと、前記第1のサポートされた帯域または帯域組合せにおいて、前記第1のTTI持続時間のダウンリンクインスタンスを処理するための前記UEの能力を示すダウンリンクインジケータとを備える、請求項67に記載の装置。
【請求項８１】
ワイヤレス通信のための装置であって、
1つまたは複数のサポートされた帯域または帯域組合せの各々について、第1の送信時間間隔(TTI)持続時間および第2のTTI持続時間を有する送信を処理するためにユーザ機器(UE)の能力を表すインジケータを受信するための手段であって、前記第1のTTI持続時間が前記第2のTTI持続時間よりも短い、手段と、
前記受信されたインジケータに少なくとも部分的に基づいて、前記1つまたは複数のサポートされた帯域または帯域組合せのうちの第1のサポートされた帯域または帯域組合せの周波数帯域内で、コンポーネントキャリアをスケジューリングするための手段と、
前記スケジューリングに少なくとも部分的に基づいて、前記コンポーネントキャリアの前記周波数帯域内で情報を送信するための手段と
を備える、装置。
【請求項８２】
前記インジケータを前記受信するための手段が、
前記第1のTTI持続時間または前記第2のTTI持続時間を有するアップリンク送信のために、前記UEによってサポートされたアップリンクコンポーネントキャリアの定義された数を示すアップリンクインジケータを受信するための手段
をさらに備える、請求項81に記載の装置。
【請求項８３】
前記インジケータを前記受信するための手段が、
前記第1のTTI持続時間または前記第2のTTI持続時間を有するダウンリンク送信のために、前記UEによってサポートされたダウンリンクコンポーネントキャリアの定義された数を示す、ダウンリンクインジケータを受信するための手段
をさらに備える、請求項82に記載の装置。
【請求項８４】
前記インジケータに少なくとも部分的に基づいて、前記1つまたは複数のサポートされた帯域または帯域組合せのうちの第1のサポートされた帯域または帯域組合せにおけるコンポーネントキャリアの第1の数を示す構成メッセージを送信するための手段
をさらに備える、請求項82に記載の装置。
【請求項８５】
前記第1の数が、前記第1のTTI持続時間を有するアップリンクまたはダウンリンク送信のために、前記UEによってサポートされたコンポーネントキャリアの定義された数を超える、請求項84に記載の装置。
【発明の詳細な説明】
【技術分野】
【０００１】
相互参照
本特許出願は、各々が本出願の譲受人に譲渡され、その全体が参照により明白に本明細書に組み込まれる、2018年5月3日に出願された"Shortened Transmission Time Interval Configuration Based on User Equipment Capabilities"という名称のFarajidana他による米国特許出願第15/970,139号、および2017年5月5日に出願された"Shortened Transmission Time Interval Configuration Based on User Equipment Capabilities"という名称のFarajidana他による米国仮特許出願第62/502,563号の優先権を主張する。
【背景技術】
【０００２】
以下は、一般にワイヤレス通信に関し、より詳細にはユーザ機器能力に基づく短縮送信時間間隔構成に関する。
【０００３】
ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース(たとえば、時間、周波数、および電力)を共有することによって複数のユーザとの通信をサポートすることが可能であってもよい。そのような多元接続システムの例には、符号分割多元接続(CDMA)システム、時分割多元接続(TDMA)システム、周波数分割多元接続(FDMA)システム、および直交周波数分割多元接続(OFDMA)システム、(たとえば、ロングタームエボリューション(LTE)システム、または新無線(NR)システム)がある。ワイヤレス多元接続通信システムは、場合によってはユーザ機器(UE)として知られることがある複数の通信デバイスのための通信を各々が同時にサポートする、いくつかの基地局またはアクセスネットワークノードを含んでもよい。
【０００４】
いくつかのロングタームエボリューション(LTE)または新無線(NR)展開における基地局は、レガシーLTE送信時間間隔(TTI)と比較して長さが低減されてもよい異なる長さのTTIを使用して、1つまたは複数のUEに送信してもよい。そのような低減された長さのTTIは、短縮TTI(sTTI)と呼ばれることがあり、ワイヤレス送信のための高い信頼性とともに低レイテンシを提供するサービスをサポートしてもよい。基地局は、時間リソースおよび周波数リソースを含んでもよい、sTTIのための送信リソースをUEに割り振ってもよい。場合によっては、低レイテンシサービスの信頼性は、たとえば、ハイブリッド肯定応答再送要求(HARQ)フィードバック技法などに従って、受信に成功しなかった送信の再送信を提供してもよいフィードバック機構を通して強化されてもよい。sTTIリソースの効率的な割振り、および効率的なHARQフィードバックは、ワイヤレス通信システムの効率および信頼性を向上させるために役立つことがある。
【発明の概要】
【課題を解決するための手段】
【０００５】
説明する技法は、ユーザ機器(UE)能力に基づく短縮送信時間間隔(sTTI)構成をサポートする、改善された方法、システム、デバイス、または装置に関する。本技法は、UEによってサポートされた各キャリアアグリゲーション(CA)帯域、帯域組合せ、または帯域組合せのうちの帯域において、sTTIおよび/またはTTIを処理するためのその能力を基地局に示すことをUEに行わせることによって、効率的なリソース割振り、および信頼性が高いHARQフィードバックを提供する。指示は、UEがsTTIを処理することができるかどうか、制約があるがsTTIを処理することができるかどうか、sTTIとTTIの両方を別個にまたは同時に処理することができるかどうか、sTTIおよびTTIを復号することができるかどうか、ならびに低レイテンシ仕様および通常のレイテンシ仕様をsTTIおよびTTIが満たすために、フィードバックを提供するための時間フレーム内で、sTTIおよびTTIのそれぞれのためのHARQ ACK/NACKを送信することができるかどうかなどを示してもよい。
【０００６】
UEは、1つまたは複数のサポートされた帯域、帯域組合せ、または帯域組合せのうちの帯域の各々について、sTTI持続時間およびTTI持続時間を有する送信を処理するために、その能力を表すインジケータを生成してもよい。基地局は、インジケータを使用して、UEのためのコンポーネントキャリアを構成およびスケジュールしてもよい。一例では、UEは、1つまたは複数のサポートされた帯域または帯域組合せの各々について、第1のTTI持続時間および第2のTTI持続時間を有する送信を処理するためにUEの能力を決定することであって、第1のTTI持続時間が第2のTTI持続時間よりも短い、決定することを行ってもよい。UEは、1つまたは複数のサポートされた帯域または帯域組合せの各々についての能力を表すインジケータを生成し、基地局にインジケータを送信してもよい。基地局は、インジケータを受信すること、受信されたインジケータに少なくとも部分的に基づいて、1つまたは複数のサポートされた帯域または帯域組合せのうちの第1のサポートされた帯域または帯域組合せの周波数帯域内で、コンポーネントキャリアをスケジュールすること、およびスケジューリングに基づいてコンポーネントキャリアの周波数帯域内で情報を送信することを行ってもよい。
【０００７】
ワイヤレス通信の方法について説明する。本方法は、1つまたは複数のサポートされた帯域または帯域組合せの各々について、第1のTTI持続時間および第2のTTI持続時間を有する送信を処理するためにUEの能力を決定するステップであって、第1のTTI持続時間が第2のTTI持続時間よりも短い、ステップと、基地局に、1つまたは複数のサポートされた帯域または帯域組合せの各々についての能力を表すインジケータを送信するステップとを含んでもよい。
【０００８】
ワイヤレス通信のための装置について説明する。本装置は、1つまたは複数のサポートされた帯域または帯域組合せの各々について、第1のTTI持続時間および第2のTTI持続時間を有する送信を処理するためにUEの能力を決定するための手段であって、第1のTTI持続時間が第2のTTI持続時間よりも短い、手段と、基地局に、1つまたは複数のサポートされた帯域または帯域組合せの各々についての能力を表すインジケータを送信するための手段とを含んでもよい。
【０００９】
ワイヤレス通信のための別の装置について説明する。本装置は、プロセッサと、プロセッサと電子通信しているメモリと、メモリに記憶された命令とを含んでもよい。命令は、1つまたは複数のサポートされた帯域または帯域組合せの各々について、第1のTTI持続時間および第2のTTI持続時間を有する送信を処理するためにUEの能力を決定することであって、第1のTTI持続時間が第2のTTI持続時間よりも短い、決定することと、基地局に、1つまたは複数のサポートされた帯域または帯域組合せの各々についての能力を表すインジケータを送信することとを、プロセッサに行わせるように動作可能であってもよい。
【００１０】
ワイヤレス通信のための非一時的コンピュータ可読媒体について説明する。非一時的コンピュータ可読媒体は、1つまたは複数のサポートされた帯域または帯域組合せの各々について、第1のTTI持続時間および第2のTTI持続時間を有する送信を処理するためにUEの能力を決定することであって、第1のTTI持続時間が第2のTTI持続時間よりも短い、決定することと、基地局に、1つまたは複数のサポートされた帯域または帯域組合せの各々についての能力を表すインジケータを送信することとを、プロセッサに行わせるように動作可能な命令を含んでもよい。
【００１１】
上記で説明した方法、装置、および非一時的コンピュータ可読媒体のいくつかの例では、1つまたは複数のサポートされた帯域または帯域組合せの各々についての能力を表すインジケータを送信するためのプロセス、特徴、手段、または命令が、第1のTTI持続時間および第2のTTI持続時間のうちの一方または両方とは異なる第3のTTI持続時間を有する送信を処理するためにUEの能力を送信するためのプロセス、特徴、手段、または命令をさらに含んでもよい。
【００１２】
上記で説明した方法、装置、および非一時的コンピュータ可読媒体のいくつかの例では、1つまたは複数のサポートされた帯域または帯域組合せの各々についての能力を表すインジケータを送信するためのプロセス、特徴、手段、または命令が、第1のTTI持続時間または第2のTTI持続時間を有するアップリンク送信をサポートするための、UEのアップリンク能力を示すアップリンクインジケータを送信するためのプロセス、特徴、手段、または命令をさらに含んでもよい。
【００１３】
上記で説明した方法、装置、および非一時的コンピュータ可読媒体のいくつかの例では、アップリンクインジケータが、第1のTTI持続時間または第2のTTI持続時間を有するアップリンク送信のために、UEによってサポートされたアップリンクコンポーネントキャリアの定義された数を示す。
【００１４】
上記で説明した方法、装置、および非一時的コンピュータ可読媒体のいくつかの例では、1つまたは複数のサポートされた帯域または帯域組合せの各々についての能力を表すインジケータを送信するためのプロセス、特徴、手段、または命令が、第1のTTI持続時間または第2のTTI持続時間を有するダウンリンク送信をサポートするための、UEのダウンリンク能力を示す、ダウンリンクインジケータを送信するためのプロセス、特徴、手段、または命令をさらに含んでもよい。
【００１５】
上記で説明した方法、装置、および非一時的コンピュータ可読媒体のいくつかの例では、ダウンリンクインジケータが、第1のTTI持続時間または第2のTTI持続時間を有するダウンリンク送信のために、UEによってサポートされたダウンリンクコンポーネントキャリアの定義された数を示してもよい。
【００１６】
上記で説明した方法、装置、および非一時的コンピュータ可読媒体のいくつかの例では、インジケータが、第1のTTI持続時間または第2のTTI持続時間を有するアップリンク送信をサポートするための、UEのアップリンク能力と、第1のTTI持続時間または第2のTTI持続時間を有するダウンリンク送信をサポートするための、UEのダウンリンク能力とを示してもよい。上記で説明した方法、装置、および非一時的コンピュータ可読媒体のいくつかの例では、アップリンク能力がダウンリンク能力とは異なる。
【００１７】
上記で説明した方法、装置、および非一時的コンピュータ可読媒体のいくつかの例では、1つまたは複数のサポートされた帯域または帯域組合せの各々についての能力を表すインジケータを送信するためのプロセス、特徴、手段、または命令が、インジケータに少なくとも部分的に基づいて、1つまたは複数のサポートされた帯域または帯域組合せのうちの第1のサポートされた帯域または帯域組合せにおけるコンポーネントキャリアの第1の数を示す構成メッセージを受信するためのプロセス、特徴、手段、または命令をさらに含んでもよい。上記で説明した方法、装置、および非一時的コンピュータ可読媒体のいくつかの例では、第1の数が、第1のTTI持続時間を有するアップリンクまたはダウンリンク送信のために、UEによってサポートされたコンポーネントキャリアの定義された数を超えてもよい。
【００１８】
上記で説明した方法、装置、および非一時的コンピュータ可読媒体のいくつかの例では、インジケータが、1つまたは複数のサポートされた帯域または帯域組合せのうちの第1の帯域組合せのうちの少なくとも1つの帯域において、第1のTTI持続時間または第2のTTI持続時間を有する送信を処理するためにUEの能力を示してもよい。
【００１９】
上記で説明した方法、装置、および非一時的コンピュータ可読媒体のいくつかの例では、インジケータが、UEが1つまたは複数のサポートされた帯域または帯域組合せの各々において動作する間、各帯域上の第1のTTI持続時間および第2のTTI持続時間を有する送信をサポートするためにUEの能力を示してもよい。
【００２０】
上記で説明した方法、装置、および非一時的コンピュータ可読媒体のいくつかの例では、インジケータが、UEが1つまたは複数のサポートされた帯域または帯域組合せの各々において動作するときの能力に対する制約を示してもよい。上記で説明した方法、装置、および非一時的コンピュータ可読媒体のいくつかの例では、制約が、1つまたは複数のサポートされた帯域または帯域組合せのうちの各帯域についての、UEの処理制約であってもよい。上記で説明した方法、装置、および非一時的コンピュータ可読媒体のいくつかの例では、処理制約が、破棄ウィンドウ深度である。上記で説明した方法、装置、および非一時的コンピュータ可読媒体のいくつかの例では、第1のTTI持続時間が、1つまたは複数のシンボルまたはスロットである。上記で説明した方法、装置、および非一時的コンピュータ可読媒体のいくつかの例では、処理制約が、拡張物理ダウンリンク制御チャネル(ePDCCH)ベースのスケジューリング、または復調基準信号(DMRS)ベースの送信モード(TM)、または両方に関連付けられる。
【００２１】
上記で説明した方法、装置、および非一時的コンピュータ可読媒体のいくつかの例は、UEが、1つまたは複数のサポートされた帯域または帯域組合せのうちの各々において動作する間、第1のTTI持続時間および第2のTTI持続時間における送信を同時に処理することが可能であると判定するためのプロセス、特徴、手段、または命令であって、インジケータが、UEが第1のTTI持続時間のための第1のタイムラインに従い、かつ第2のTTI持続時間のための第2のタイムラインに従う送信を同時に処理することが可能であることを表す、プロセス、特徴、手段、または命令をさらに含んでもよい。いくつかの例では、第1のタイムラインおよび第2のタイムラインが同じであってもよいか、または異なってもよい。上記で説明した方法、装置、および非一時的コンピュータ可読媒体のいくつかの例では、1つまたは複数のサポートされた帯域または帯域組合せの各々についての能力を表すインジケータを送信するためのプロセス、特徴、手段、または命令が、UEが、1つまたは複数のサポートされた帯域または帯域組合せのうちの各帯域において動作する間、第1のTTI持続時間および第2のTTI持続時間のうちの一方または両方とは異なる第3のTTI持続時間における送信を同時に処理することが可能であると判定するためのプロセス、特徴、手段、または命令であって、インジケータが、UEが第3のTTI持続時間のための第3のタイムラインに従う送信を同時に処理することが可能であることを表す、プロセス、特徴、手段、または命令をさらに含んでもよい。
【００２２】
上記で説明した方法、装置、および非一時的コンピュータ可読媒体のいくつかの例は、UEが、1つまたは複数のサポートされた帯域または帯域組合せの各々において、コンポーネントキャリアごとにまたは帯域ごとにサポートすることが可能であってもよい、空間レイヤの数を決定するためのプロセス、特徴、手段、または命令であって、インジケータが、決定された空間レイヤの数に少なくとも部分的に基づいて生成されてもよい、プロセス、特徴、手段、または命令をさらに含んでもよい。
【００２３】
上記で説明した方法、装置、および非一時的コンピュータ可読媒体のいくつかの例は、UEが、1つまたは複数のサポートされた帯域または帯域組合せのうちの第1のサポートされた帯域または帯域組合せにおいて、コンポーネントキャリアごとにまたは帯域ごとに、第1の数の空間レイヤをサポートすることが可能であってもよいと判定するためのプロセス、特徴、手段、または命令であって、インジケータが、UEが第1のサポートされた帯域または帯域組合せにおいて、第1の数の空間レイヤ未満であってもよい第2の数の空間レイヤをサポートすることが可能であってもよいことを示す、プロセス、特徴、手段、または命令をさらに含んでもよい。
【００２４】
上記で説明した方法、装置、および非一時的コンピュータ可読媒体のいくつかの例は、能力に従って、第1のTTI持続時間の第1の情報と、第2のTTI持続時間の第2の情報とを処理するためのプロセス、特徴、手段、または命令をさらに含んでもよい。上記で説明した方法、装置、および非一時的コンピュータ可読媒体のいくつかの例では、インジケータを送信することが、それにおいてUEが第1のTTI持続時間より前に第2のTTI持続時間の1つまたは複数のインスタンスにおいて受信された第2の情報を破棄する深度を識別するために、破棄ウィンドウ深度を決定することであって、インジケータが、破棄ウィンドウ深度を示す、決定することを含む。
【００２５】
上記で説明した方法、装置、および非一時的コンピュータ可読媒体のいくつかの例では、1つまたは複数のサポートされた帯域または帯域組合せの各々についての能力を表すインジケータを送信するためのプロセス、特徴、手段、または命令が、アップリンク送信のためのアップリンク破棄ウィンドウ深度と、ダウンリンク送信のためのダウンリンク破棄ウィンドウ深度とを決定するためのプロセス、特徴、手段、または命令をさらに含んでもよい。上記で説明した方法、装置、および非一時的コンピュータ可読媒体のいくつかの例では、アップリンク送信のためのアップリンク破棄ウィンドウ深度と、ダウンリンク送信のためのダウンリンク破棄ウィンドウ深度とを決定するためのプロセス、特徴、手段、または命令が、第1のタイムラインに従うアップリンク破棄ウィンドウ深度を決定するため、および第2のタイムラインに従うダウンリンク破棄ウィンドウ深度を決定するためのプロセス、特徴、手段、または命令をさらに含んでもよい。
【００２６】
上記で説明した方法、装置、および非一時的コンピュータ可読媒体のいくつかの例は、処理ウィンドウ内の第2の情報の最大トランスポートブロックサイズ(TBS)および/またはリソースブロックの数と、処理ウィンドウ内の第1の情報のTBSおよび/またはリソースブロックの数との和を決定するためのプロセス、特徴、手段、または命令をさらに含んでもよい。上記で説明した方法、装置、および非一時的コンピュータ可読媒体のいくつかの例は、和をしきい値と比較するためのプロセス、特徴、手段、または命令をさらに含んでもよい。
【００２７】
上記で説明した方法、装置、および非一時的コンピュータ可読媒体のいくつかの例では、和をしきい値と比較することが、和がしきい値を満たさないと判定することを含む。上記で説明した方法、装置、および非一時的コンピュータ可読媒体のいくつかの例は、第2のTTI持続時間の1つまたは複数のインスタンスにおいて受信された第2の情報のうちの少なくともいくつかを破棄するためのプロセス、特徴、手段、または命令をさらに含んでもよい。
【００２８】
上記で説明した方法、装置、および非一時的コンピュータ可読媒体のいくつかの例では、和をしきい値と比較することが、和がしきい値を満たすと判定することを含む。上記で説明した方法、装置、および非一時的コンピュータ可読媒体のいくつかの例は、第2のTTI持続時間の1つまたは複数のインスタンスにおいて受信された、第1の情報および第2の情報を処理するためのプロセス、特徴、手段、または命令をさらに含んでもよい。
【００２９】
上記で説明した方法、装置、および非一時的コンピュータ可読媒体のいくつかの例では、インジケータが、UEが1つまたは複数のサポートされた帯域または帯域組合せのうちの第1のサポートされた帯域または帯域組合せにおいて、第1のTTI持続時間および第2のTTI持続時間を同時に処理することが可能であってもよいことを示す。上記で説明した方法、装置、および非一時的コンピュータ可読媒体のいくつかの例では、インジケータが、UEが1つまたは複数のサポートされた帯域または帯域組合せのうちの第1のサポートされた帯域または帯域組合せにおいて、第1のTTI持続時間を処理することが可能でないことがあることを示す。
【００３０】
上記で説明した方法、装置、および非一時的コンピュータ可読媒体のいくつかの例では、インジケータが、1つまたは複数のサポートされた帯域または帯域組合せの各々において、第1のTTI持続時間を処理するためのUEの能力を示す。上記で説明した方法、装置、および非一時的コンピュータ可読媒体のいくつかの例では、インジケータが、1つまたは複数のサポートされた帯域または帯域組合せのうちの第1のサポートされた帯域または帯域組合せにおいて、第1のTTI持続時間のアップリンクインスタンスを処理するためのUEの能力を示すアップリンクインジケータと、第1のサポートされた帯域または帯域組合せにおいて、第1のTTI持続時間のダウンリンクインスタンスを処理するためのUEの能力を示すダウンリンクインジケータとを備える。
【００３１】
上記で説明した方法、装置、および非一時的コンピュータ可読媒体のいくつかの例では、インジケータが、1つまたは複数のサポートされた帯域または帯域組合せのうちの第1のサポートされた帯域または帯域組合せにおいて、第1の長さを有する第1のTTI持続時間の第1のインスタンスを処理するためのUEの能力と、第1のサポートされた帯域または帯域組合せにおいて、第2の長さを有する第1のTTI持続時間の第2のインスタンスを処理するためのUEの能力とを示す。
【００３２】
上記で説明した方法、装置、および非一時的コンピュータ可読媒体のいくつかの例は、インジケータに少なくとも部分的に基づいて、UEがサポートすることが可能であってもよい第2の数のコンポーネントキャリア(CC)を超える、1つまたは複数のサポートされた帯域または帯域組合せのうちの第1のサポートされた帯域または帯域組合せにおける第1の数のCCを用いて、UEを構成する、構成メッセージを受信するためのプロセス、特徴、手段、または命令をさらに含んでもよい。
【００３３】
上記で説明した方法、装置、および非一時的コンピュータ可読媒体のいくつかの例は、基地局が、第2の数のCCを超える、UEのための第3の数のCCをスケジュールしたことがあってもよいと判定するためのプロセス、特徴、手段、または命令をさらに含んでもよい。上記で説明した方法、装置、および非一時的コンピュータ可読媒体のいくつかの例は、スケジュールされた第3の数のCCのうちの1つまたは複数においてトランスポートされた、第1のTTI持続時間の第1の情報、または第2のTTI持続時間の第2の情報のうちの一方または両方をドロップするためのプロセス、特徴、手段、または命令をさらに含んでもよい。上記で説明した方法、装置、および非一時的コンピュータ可読媒体のいくつかの例は、第1の情報または第2の情報のうちのドロップされた一方または両方のための否定応答を送信するためのプロセス、特徴、手段、または命令をさらに含んでもよい。
【００３４】
上記で説明した方法、装置、および非一時的コンピュータ可読媒体のいくつかの例は、第1の情報および第2の情報の処理持続時間が重複していることがあると判定するためのプロセス、特徴、手段、または命令をさらに含んでもよい。上記で説明した方法、装置、および非一時的コンピュータ可読媒体のいくつかの例は、第1のTTI持続時間のための肯定応答タイムラインに少なくとも部分的に基づく、第1の情報のための第1の肯定応答メッセージと、第2のTTI持続時間のための肯定応答タイムラインに少なくとも部分的に基づく、第2の情報のための第2の肯定応答メッセージとを送信するためのプロセス、特徴、手段、または命令をさらに含んでもよい。
【００３５】
上記で説明した方法、装置、および非一時的コンピュータ可読媒体のいくつかの例では、インジケータを送信することが、UEが第1のTTI持続時間および第2のTTI持続時間のためにサポートするCCの数の間の関係を決定することであって、インジケータが関係を示す、決定することを含む。
【００３６】
上記で説明した方法、装置、および非一時的コンピュータ可読媒体のいくつかの例では、インジケータが、1つまたは複数のサポートされた帯域または帯域組合せのうちの第1のサポートされた帯域または帯域組合せのための、拡張物理ダウンリンク制御チャネル(ePDCCH)ベースのスケジューリングのためのサポートを示す。
【００３７】
上記で説明した方法、装置、および非一時的コンピュータ可読媒体のいくつかの例では、インジケータが、1つまたは複数のサポートされた帯域または帯域組合せのうちの第1のサポートされた帯域または帯域組合せのための、復調基準信号(DMRS)ベースの送信モード(TM)のためのサポートを示す。
【００３８】
上記で説明した方法、装置、および非一時的コンピュータ可読媒体のいくつかの例では、1つまたは複数のサポートされた帯域または帯域組合せの各々が、キャリアアグリゲーション帯域組合せであってもよい。
【００３９】
ワイヤレス通信の方法について説明する。本方法は、1つまたは複数のサポートされた帯域または帯域組合せの各々について、第1のTTI持続時間および第2のTTI持続時間を有する送信を処理するためにUEの能力を表すインジケータを受信するステップであって、第1のTTI持続時間が第2のTTI持続時間よりも短い、ステップと、受信されたインジケータに少なくとも部分的に基づいて、1つまたは複数のサポートされた帯域または帯域組合せのうちの第1のサポートされた帯域または帯域組合せの周波数帯域内で、コンポーネントキャリアをスケジュールするステップと、スケジューリングに少なくとも部分的に基づいて、コンポーネントキャリアの周波数帯域内で情報を送信するステップとを含んでもよい。
【００４０】
ワイヤレス通信のための装置について説明する。本装置は、1つまたは複数のサポートされた帯域または帯域組合せの各々について、第1のTTI持続時間および第2のTTI持続時間を有する送信を処理するためにUEの能力を表すインジケータを受信するための手段であって、第1のTTI持続時間が第2のTTI持続時間よりも短い、手段と、受信されたインジケータに少なくとも部分的に基づいて、1つまたは複数のサポートされた帯域または帯域組合せのうちの第1のサポートされた帯域または帯域組合せの周波数帯域内で、コンポーネントキャリアをスケジュールするための手段と、スケジューリングに少なくとも部分的に基づいて、コンポーネントキャリアの周波数帯域内で情報を送信するための手段とを含んでもよい。
【００４１】
ワイヤレス通信のための別の装置について説明する。本装置は、プロセッサと、プロセッサと電子通信しているメモリと、メモリに記憶された命令とを含んでもよい。命令は、1つまたは複数のサポートされた帯域または帯域組合せの各々について、第1のTTI持続時間および第2のTTI持続時間を有する送信を処理するためにUEの能力を表すインジケータを受信することであって、第1のTTI持続時間が第2のTTI持続時間よりも短い、受信すること、受信されたインジケータに少なくとも部分的に基づいて、1つまたは複数のサポートされた帯域または帯域組合せのうちの第1のサポートされた帯域または帯域組合せの周波数帯域内で、コンポーネントキャリアをスケジュールすること、ならびにスケジューリングに少なくとも部分的に基づいて、コンポーネントキャリアの周波数帯域内で情報を送信することをプロセッサに行わせるように動作可能であってもよい。
【００４２】
ワイヤレス通信のための非一時的コンピュータ可読媒体について説明する。非一時的コンピュータ可読媒体は、1つまたは複数のサポートされた帯域または帯域組合せの各々について、第1のTTI持続時間および第2のTTI持続時間を有する送信を処理するためにUEの能力を表すインジケータを受信することであって、第1のTTI持続時間が第2のTTI持続時間よりも短い、受信すること、受信されたインジケータに少なくとも部分的に基づいて、1つまたは複数のサポートされた帯域または帯域組合せのうちの第1のサポートされた帯域または帯域組合せの周波数帯域内で、コンポーネントキャリアをスケジュールすること、ならびにスケジューリングに少なくとも部分的に基づいて、コンポーネントキャリアの周波数帯域内で情報を送信することをプロセッサに行わせるように動作可能な命令を含んでもよい。
【００４３】
上記で説明した方法、装置、および非一時的コンピュータ可読媒体のいくつかの例では、1つまたは複数のサポートされた帯域または帯域組合せの各々についての能力を表すインジケータを受信するためのプロセス、特徴、手段、または命令が、第1のTTI持続時間を有するアップリンク送信のために、UEによってサポートされたアップリンクコンポーネントキャリアの定義された数を示すアップリンクインジケータを受信するため、かつ第1のTTI持続時間を有するダウンリンク送信のために、UEによってサポートされたダウンリンクコンポーネントキャリアの定義された数を示す、ダウンリンクインジケータを受信するためのプロセス、特徴、手段、または命令をさらに含んでもよい。
【００４４】
上記で説明した方法、装置、および非一時的コンピュータ可読媒体のいくつかの例では、インジケータが、UEが1つまたは複数のサポートされた帯域または帯域組合せの各々において動作する間、各帯域上の第1のTTI持続時間および第2のTTI持続時間を有する送信をサポートするためのUEの能力を示す。
【００４５】
上記で説明した方法、装置、および非一時的コンピュータ可読媒体のいくつかの例では、アップリンクインジケータが、第1のTTI持続時間を有するアップリンク送信のために、UEによってサポートされたアップリンクコンポーネントキャリアの定義された数を示し、ダウンリンクインジケータが、第1のTTI持続時間を有するダウンリンク送信のために、UEによってサポートされたダウンリンクコンポーネントキャリアの定義された数を示す。
【００４６】
上記で説明した方法、装置、および非一時的コンピュータ可読媒体のいくつかの例は、インジケータに少なくとも部分的に基づいて、1つまたは複数のサポートされた帯域または帯域組合せのうちの第1のサポートされた帯域または帯域組合せにおけるコンポーネントキャリアの第1の数を示す構成メッセージを送信するためのプロセス、特徴、手段、または命令であって、第1の数が、第1のTTI持続時間を有するアップリンク送信のためのアップリンクコンポーネントキャリアの定義された数、または第1のTTI持続時間を有するダウンリンク送信のためのダウンリンクコンポーネントキャリアの定義された数を超える、プロセス、特徴、手段、または命令をさらに含んでもよい。
【００４７】
上記で説明した方法、装置、および非一時的コンピュータ可読媒体のいくつかの例は、UEがサポートするように構成されてもよい周波数帯域内のCCの第1の数を決定するために、インジケータを処理するためのプロセス、特徴、手段、または命令をさらに含んでもよい。上記で説明した方法、装置、および非一時的コンピュータ可読媒体のいくつかの例は、第2の数のCCを用いて、UEを構成するためのプロセス、特徴、手段、または命令であって、第2の数のCCが、UEがサポートするように構成されてもよい、インジケータにおいて指定されたCCの最大数を超える、プロセス、特徴、手段、または命令をさらに含んでもよい。
【００４８】
上記で説明した方法、装置、および非一時的コンピュータ可読媒体のいくつかの例は、周波数帯域内でUEのための第2の数のCCをスケジュールするためのプロセス、特徴、手段、または命令であって、第2の数のCCが、CCの第1の数を超える、プロセス、特徴、手段、または命令をさらに含んでもよい。上記で説明した方法、装置、および非一時的コンピュータ可読媒体のいくつかの例は、UEが第1のTTI持続時間および第2のTTI持続時間のためにサポートするコンポーネントキャリアの数の間の関係を決定するために、インジケータを処理するためのプロセス、特徴、手段、または命令であって、コンポーネントキャリアをスケジュールすることが、関係に少なくとも部分的に基づいてもよい、プロセス、特徴、手段、または命令をさらに含んでもよい。
【００４９】
上記で説明した方法、装置、および非一時的コンピュータ可読媒体のいくつかの例では、コンポーネントキャリアの周波数帯域内で情報を送信することが、第1のTTI持続時間において第1の情報、および第2のTTI持続時間において第2の情報を送信することを含む。上記で説明した方法、装置、および非一時的コンピュータ可読媒体のいくつかの例は、第1のTTI持続時間のための肯定応答タイムラインに少なくとも部分的に基づく、第1の情報のための第1の肯定応答メッセージと、第2のTTI持続時間のための肯定応答タイムラインに少なくとも部分的に基づく、第2の情報のための第2の肯定応答メッセージとを受信するためのプロセス、特徴、手段、または命令をさらに含んでもよい。
【図面の簡単な説明】
【００５０】
【図１】本開示の態様による、ユーザ機器能力に基づく短縮送信時間間隔構成をサポートする、ワイヤレス通信のためのシステムの一例を示す図である。
【図２】本開示の態様による、ユーザ機器能力に基づく短縮送信時間間隔構成をサポートする、ワイヤレス通信システムの一例を示す図である。
【図３】本開示の態様による、ユーザ機器能力に基づく短縮送信時間間隔構成をサポートする、フレーム構造の一例を示す図である。
【図４】本開示の態様による、ユーザ機器能力に基づく短縮送信時間間隔構成をサポートする、プロセスフローチャートの一例を示す図である。
【図５】本開示の態様による、ユーザ機器能力に基づく短縮送信時間間隔構成をサポートする、バッファリングタイムラインおよび処理タイムラインの例示的な図である。
【図６】本開示の態様による、ユーザ機器能力に基づく短縮送信時間間隔構成をサポートするデバイスのブロック図である。
【図７】本開示の態様による、ユーザ機器能力に基づく短縮送信時間間隔構成をサポートするデバイスのブロック図である。
【図８】本開示の態様による、ユーザ機器能力に基づく短縮送信時間間隔構成をサポートするデバイスのブロック図である。
【図９】本開示の態様による、ユーザ機器能力に基づく短縮送信時間間隔構成をサポートする、ユーザ機器(UE)を含むシステムのブロック図である。
【図１０】本開示の態様による、ユーザ機器能力に基づく短縮送信時間間隔構成をサポートするデバイスのブロック図である。
【図１１】本開示の態様による、ユーザ機器能力に基づく短縮送信時間間隔構成をサポートするデバイスのブロック図である。
【図１２】本開示の態様による、ユーザ機器能力に基づく短縮送信時間間隔構成をサポートするデバイスのブロック図である。
【図１３】本開示の態様による、ユーザ機器能力に基づく短縮送信時間間隔構成をサポートする、基地局を含むシステムのブロック図である。
【図１４】本開示の態様による、ユーザ機器能力に基づく短縮送信時間間隔構成のための方法を示す図である。
【図１５】本開示の態様による、ユーザ機器能力に基づく短縮送信時間間隔構成のための方法を示す図である。
【図１６】本開示の態様による、ユーザ機器能力に基づく短縮送信時間間隔構成のための方法を示す図である。
【図１７】本開示の態様による、ユーザ機器能力に基づく短縮送信時間間隔構成のための方法を示す図である。
【発明を実施するための形態】
【００５１】
説明する技法は、ユーザ機器能力に基づく短縮送信時間間隔(sTTI)構成をサポートする、改善された方法、システム、デバイス、または装置に関する。本技法は、ユーザ機器(UE)によってサポートされた各キャリアアグリゲーション(CA)帯域、帯域組合せ、または帯域組合せのうちの帯域において、sTTIおよび/またはTTIを処理するためのUEの能力を基地局に示すことをUEに行わせることによって、効率的なリソースの割振り、および信頼性が高いHARQフィードバックを提供する。説明する技法は、UEがsTTI動作のためのその能力を決定すること、ならびに1つまたは複数のサポートされた帯域、帯域組合せ、または帯域組合せのうちの帯域の各々について、sTTI持続時間およびTTI持続時間を有する送信を処理するためのUEの能力を表すインジケータ(たとえば、能力報告)を生成することを提供する。能力は、UEがsTTIを処理することができるどうか、制約があるがsTTIを処理することができるかどうか、sTTIとTTIの両方を別個にまたは同時に処理することができるかどうか、sTTIおよびTTIを復号することができるかどうか、ならびに低レイテンシ仕様および通常のレイテンシ仕様を満たすために、フィードバックを提供するための時間フレーム内で、それぞれsTTIおよびTTIのためのHARQ ACK/NACKを送信することができるかどうかを含んでもよい。
【００５２】
基地局は、インジケータを使用して、UEのためのコンポーネントキャリアを構成およびスケジュールしてもよい。一例では、UEは、1つまたは複数のサポートされた帯域または帯域組合せの各々について、第1のTTI持続時間および第2のTTI持続時間を有する送信を処理するためにUEの能力を決定することであって、第1のTTI持続時間が第2のTTI持続時間よりも短い、決定することを行ってもよい。UEは、1つまたは複数のサポートされた帯域または帯域組合せの各々についての能力を表すインジケータを生成し、基地局にインジケータを送信してもよい。基地局は、インジケータを受信すること、受信されたインジケータに少なくとも部分的に基づいて、1つまたは複数のサポートされた帯域または帯域組合せのうちの第1のサポートされた帯域または帯域組合せの周波数帯域内で、コンポーネントキャリアをスケジュールすること、およびスケジューリングに基づいて、コンポーネントキャリアの周波数帯域内で情報を送信することを行ってもよい。
【００５３】
ワイヤレス送信は、アップリンク送信またはダウンリンク送信のために送信時間間隔(TTI)および短縮送信時間間隔(sTTI)を使用することがあり、ここでsTTIの長さは、レガシーのロングタームエボリューション(LTE)サブフレーム、すなわち1msのTTIよりも短くなってもよい。UEなどの受信側は、sTTIおよびTTIのうちの一方または両方の中で情報を受信すること、ならびに情報の受信に成功したかどうかを示すために、ハイブリッド自動再送要求(HARQ)フィードバックルーチンにおいて、肯定応答/否定応答(ACK/NACK)などのフィードバック指示を送信することを行ってもよい。いくつかの例では、TTIは、物理ダウンリンク共有チャネル(PDSCH)情報をトランスポートしてもよく、sTTIは、短縮PDSCH(sPDSCH)情報をトランスポートしてもよい。
【００５４】
超低レイテンシ(ULL)UEでは、基地局は、サブフレームごとのベースで、TTIおよびsTTIを動的にスケジュールしてもよく、したがって基地局は、所与のキャリアの所与のサブフレーム内で、PDSCH情報とsPDSCH情報の両方を送信してもよい。ULL UEがPDSCHとsPDSCHの両方を復号することが可能である場合、ULL UEは、両方を復号しようと試みてもよく、PDSCH情報およびsPDSCH情報の各々のためのHARQ ACK/NACKを提供してもよい。ULL UEがPDSCHおよびsPDSCHを同時に復号することが可能でない場合、ULL UEは、sPDSCHを復号し、PDSCHの復号をスキップしてもよい。ULL UEは、sPDSCHのためのHARQ ACK/NACKと、PDSCHのためのHARQ NACKとを提供してもよい。
【００５５】
sTTIのためのフィードバックタイミングは、低レイテンシ仕様を満たすために、TTIのためのフィードバックタイミングとは異なる。ULL UEは、それにおいてsTTIが受信される同じサブフレームの持続時間内(たとえば、1ms内)でHARQ ACK/NACKを送信することになり、TTIを受信した後、定義された数のサブフレーム内(たとえば、n+3サブフレームのHARQ処理タイムラインでは2ms内)で、HARQ ACK/NACKを送信してもよい。基地局は、PDSCHおよびsPDSCHを動的にスケジュールしてもよいので、ULL UEが、1つまたは複数の前のサブフレームにおいて受信されたPDSCH情報と同時にsPDSCH情報を処理(たとえば、PDSCH情報と衝突)してもよいときの事例がある。たとえば、sPDSCHがサブフレームnにおいて到着する場合、ULL UEは、過去の3つのサブフレームのうちの1つにおいて受信されたPDSCH情報を処理中であってもよい。
【００５６】
PDSCHおよびsPDSCHの処理が衝突する場合、ULL UEが、sPDSCHのためのHARQ ACK/NACKフィードバックを提供するためのsTTIデッドラインを満たすために、前のサブフレームにおいて受信されたPDSCH、ならびに現在のサブフレームにおいて受信されたsPDSCHの両方を同時に復号するための十分な処理能力を欠く事例があってもよい。所与のコンポーネントキャリアのサブフレーム上でスケジュールされたPDSCHとsPDSCHの両方を同時に復号するためのUEの能力にかかわらず、動的スケジューリングのために基地局にUEの能力が通知されない限り、1つのキャリアのサブフレーム内でスケジュールされたPDSCHとsPDSCHの両方を復号する能力を宣言したUEでさえ、sTTI動作とTTI動作の両方をサポートしないことがある。ULL UEが、物理アップリンク共有チャネル(PUSCH)情報と短縮PUSCH(sPUSCH)情報の両方を符号化するとき、この同じ問題がアップリンク方向において生じることがある。
【００５７】
本明細書で説明する例は、sPDSCH情報およびPDSCH情報を同時に処理するため、PUSCH情報およびsPUSCH情報を同時に処理するため、または両方のためにその処理能力を使用するために、コンポーネントキャリアのサブセット上で処理能力を共有することが可能であるキャリアアグリゲーション(CA)対応UEを有することによって、少なくともこの問題の解決策を提供してもよい。基地局と協調するために、UEは、UEの能力についてのインジケータを生成し、基地局に提供してもよい。一例では、UEは、サポート可能なCA帯域組合せのセット(supportedBandCombination)(たとえば、CA_1A-5A、CA_2A-17Aなど)を基地局に宣言するために、インジケータを生成してもよい。各CA帯域組合せにおいて、ダウンリンクサポートMIMO能力が、UEが空間多重化のためにサポートしてもよい空間レイヤの最大数として定義される。supportedBandCombinationにおいて指定された各帯域および/または帯域組合せについて、UEは、対応するMIMO能力をインジケータにおいて提供してもよい。CA帯域組合せごとにサポートされた空間レイヤの総数に基づいて、UEは、それにおいてUEがTTIとsTTIの両方をサポートしてもよい周波数帯域をインジケータにおいて宣言してもよい。
【００５８】
別の例では、TTIの処理とsTTIの処理との間の衝突の可能性を低減するために、UEは、CA帯域組合せごとのコンポーネントキャリアごとに、拡張物理ダウンリンク制御チャネル(ePDCCH)ベースのスケジューリングと、復調基準信号(DMRS)ベースの送信モード(TM)とをサポートするためのUEの能力をインジケータにおいて基地局に宣言してもよい。
【００５９】
本開示の態様について、初めにワイヤレス通信システムのコンテキストにおいて説明する。ワイヤレス通信システムは、UEが、1つまたは複数のサポートされた帯域または帯域組合せの各々について、sTTI持続時間およびTTI持続時間を有する送信を処理するためにUEの能力を表すインジケータを生成することを可能にしてもよく、基地局は、UEのためのコンポーネントキャリアを構成およびスケジュールするために、インジケータを使用してもよい。本開示の態様はさらに、ユーザ機器能力に基づく短縮送信時間間隔構成に関する装置図、システム図、およびフローチャートによって図示され、それらを参照しながら説明される。
【００６０】
図1は、本開示の様々な態様によるワイヤレス通信システム100の一例を示す。ワイヤレス通信システム100は、基地局105と、UE115と、コアネットワーク130とを含む。いくつかの例では、ワイヤレス通信システム100は、LTE、LTEアドバンスト(LTE-A)ネットワーク、または新無線(NR)ネットワークであってもよい。場合によっては、ワイヤレス通信システム100は、拡張ブロードバンド通信、超高信頼(すなわち、ミッションクリティカル)通信、低レイテンシ通信、および低コストで低複雑度のデバイスとの通信をサポートしてもよい。
【００６１】
一例では、UE115は、1つまたは複数のサポートされた帯域または帯域組合せの各々について、sTTI持続時間およびTTI持続時間を有する送信を処理するためのその能力を決定してもよい。UE115は、1つまたは複数のサポートされた帯域または帯域組合せの各々についての能力を表すインジケータを生成し、基地局105にインジケータを送信してもよい。インジケータはまた、帯域組合せのうちの帯域における能力を示してもよい。基地局105は、インジケータを受信すること、受信されたインジケータに少なくとも部分的に基づいて、1つまたは複数のサポートされた帯域または帯域組合せのうちの第1のサポートされた帯域または帯域組合せの周波数帯域内で、コンポーネントキャリアをスケジュールすること、およびスケジューリングに基づいて、コンポーネントキャリアの周波数帯域内で情報を送信することを行ってもよい。
【００６２】
基地局105は、1つまたは複数の基地局アンテナを介して、UE115とワイヤレス通信してもよい。各基地局105は、それぞれの地理的カバレージエリア110に通信カバレージを提供してもよい。ワイヤレス通信システム100において示される通信リンク125は、UE115から基地局105へのアップリンク送信、または基地局105からUE115へのダウンリンク送信を含んでもよい。制御情報およびデータは、様々な技法に従ってアップリンクチャネルまたはダウンリンク上で多重化されてもよい。制御情報およびデータは、たとえば、時分割多重化(TDM)技法、周波数分割多重化(FDM)技法、またはハイブリッドTDM-FDM技法を使用して、ダウンリンクチャネル上で多重化されてもよい。いくつかの例では、ダウンリンクチャネルのTTI持続時間の間に送信される制御情報は、カスケード方式で異なる制御領域の間で(たとえば、共通制御領域と1つまたは複数のUE固有制御領域との間で)分散されてもよい。
【００６３】
UE115は、ワイヤレス通信システム100の全体にわたって分散されることがあり、各UE115は、固定またはモバイルであってもよい。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。UE115はまた、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、モノのインターネット(IoT)デバイス、あらゆるモノのインターネット(IoE)デバイス、マシンタイプ通信(MTC)デバイス、アプライアンス、自動車などであってもよい。
【００６４】
場合によっては、UE115はまた、(たとえば、ピアツーピア(P2P)またはデバイスツーデバイス(D2D)プロトコルを使用して)他のUEと直接通信することが可能であってもよい。D2D通信を利用するUE115のグループのうちの1つまたは複数は、セルのカバレージエリア110内にあってもよい。そのようなグループにおける他のUE115は、セルのカバレージエリア110の外にあり、またはそうでなければ基地局105から送信を受信することが不可能であってもよい。場合によっては、D2D通信を介して通信するUE115のグループは、各UE115がグループの中のすべての他のUE115へ送信する1対多(1:M)システムを利用してもよい。場合によっては、基地局105は、D2D通信のためのリソースのスケジューリングを容易にする。他の場合には、D2D通信は、基地局105とは無関係に実行される。
【００６５】
MTCデバイスまたはIoTデバイスなど、いくつかのUE115は、低コストまたは低複雑度のデバイスであってもよくマシンの間の自動化された通信、すなわちマシンツーマシン(M2M)通信を提供してもよい。M2MまたはMTCは、人が介在することなく、デバイスが互いとまたは基地局105と通信することを可能にするデータ通信技術を指すことがある。たとえば、M2MまたはMTCは、センサーまたはメーターを組み込んで情報を測定または捕捉し、その情報を利用することができる中央サーバまたはアプリケーションプログラムにその情報を中継する、またはプログラムもしくはアプリケーションと対話する人間に情報を提示する、デバイスからの通信を指すことがある。いくつかのUE115は、情報を収集するように、またはマシンの自動化された挙動を可能にするように設計されてもよい。MTCデバイスの用途の例には、スマートメータリング、在庫モニタリング、水位モニタリング、機器モニタリング、医療モニタリング、野生生物モニタリング、天候および地質学的事象モニタリング、船団管理および追跡、リモートセキュリティ検知、物理的アクセス制御、ならびに取引ベースのビジネス課金がある。
【００６６】
場合によっては、MTCデバイスは、低減されたピークレートで半二重(一方向)通信を使用して動作してもよい。MTCデバイスはまた、アクティブな通信に関与していないとき、電力を節約する「ディープスリープ」モードに入るように構成されてもよい。場合によっては、MTCデバイスまたはIoTデバイスは、ミッションクリティカル機能をサポートするように設計されてもよく、ワイヤレス通信システムは、これらの機能のために超高信頼性通信を提供するように構成されてもよい。
【００６７】
基地局105は、コアネットワーク130と通信し、互いと通信してもよい。たとえば、基地局105は、バックホールリンク132(たとえば、S1など)を通じてコアネットワーク130とインターフェースしてもよい。基地局105は、バックホールリンク134(たとえば、X2など)を介して、直接または間接的に(たとえば、コアネットワーク130を通じて)のいずれかで互いと通信してもよい。基地局105は、UE115との通信のための無線構成およびスケジューリングを実行してもよいか、または基地局コントローラ(図示せず)の制御下で動作してもよい。いくつかの例では、基地局105は、マクロセル、スモールセル、ホットスポットなどであってもよい。基地局105は、発展型ノードB(eNB)105と呼ばれることもある。
【００６８】
基地局105は、S1インターフェースによってコアネットワーク130に接続されてもよい。コアネットワークは、発展型パケットコア(EPC)であってもよく、発展型パケットコア(EPC)は、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含んでもよい。MMEは、UE115とEPCとの間のシグナリングを処理する制御ノードであってもよい。すべてのユーザインターネットプロトコル(IP)パケットは、それ自体がP-GWに接続されてもよいS-GWを通じて転送されてもよい。P-GWは、IPアドレス割振りならびに他の機能を提供してもよい。P-GWは、ネットワーク事業者のIPサービスに接続されてもよい。事業者のIPサービスは、インターネット、イントラネット、IPマルチメディアサブシステム(IMS)、およびパケット交換(PS)ストリーミングサービスを含んでもよい。
【００６９】
コアネットワーク130は、ユーザ認証、アクセス許可、トラッキング、IP接続性、および他のアクセス機能、ルーティング機能、またはモビリティ機能を提供してもよい。基地局105など、ネットワークデバイスのうちの少なくともいくつかは、アクセスノードコントローラ(ANC)の一例であってもよい、アクセスネットワークエンティティなどのサブコンポーネントを含んでもよい。各アクセスネットワークエンティティは、その各々がスマートラジオヘッド、または送受信ポイント(TRP)の一例であってもよい、いくつかの他のアクセスネットワーク送信エンティティを通して、いくつかのUE115と通信してもよい。いくつかの構成では、各アクセスネットワークエンティティまたは基地局105の様々な機能が、様々なネットワークデバイス(たとえば、ラジオヘッドおよびアクセスネットワークコントローラ)にわたって分散されること、または単一のネットワークデバイス(たとえば、基地局105)に統合されることがある。
【００７０】
ワイヤレス通信システム100は、700MHzから2600MHz(2.6GHz)の周波数帯域を使用する超高周波(UHF)周波数領域において動作してもよいが、いくつかのネットワーク(たとえば、ワイヤレスローカルエリアネットワーク(WLAN))は、4GHzもの高い周波数を使用してもよい。この領域は、波長が約1デシメートルから1メートルの長さに及ぶので、デシメートル帯域として知られることもある。UHF波は、主に見通し線によって伝搬することがあり、建物および環境的な地物によって遮断されることがある。しかしながら、この波は、屋内に位置するUE115にサービスを提供するのに十分な程度に壁を貫通することがある。UHF波の送信は、スペクトルの高周波(HF)または超高周波(VHF)部分のより低い周波数(および、より長い波)を使用する送信と比較して、より小型のアンテナおよびより短い距離(たとえば、100km未満)によって特徴づけられる。場合によっては、ワイヤレス通信システム100はまた、スペクトルの極高周波(EHF)部分(たとえば、30GHzから300GHzまで)を利用してもよい。この領域は、波長が約1ミリメートルから1センチメートルの長さに及ぶので、ミリメートル帯域として知られることもある。したがって、EHFアンテナは、UHFアンテナよりもさらに小型であり、より間隔が密であってもよい。場合によっては、このことは、UE115内の(たとえば、指向性ビームフォーミングのための)アンテナアレイの使用を容易にしてもよい。しかしながら、EHF送信は、UHF送信よりもさらに大きい大気減衰およびより短い距離を受けることがある。
【００７１】
したがって、ワイヤレス通信システム100は、UE115と基地局105との間のミリ波(mmW)通信をサポートしてもよい。mmWまたはEHF帯域において動作するデバイスは、ビームフォーミングを可能にするために複数のアンテナを有してもよい。すなわち、基地局105は、UE115との指向性通信のためのビームフォーミング動作を行うために、複数のアンテナまたはアンテナアレイを使用してもよい。ビームフォーミング(空間フィルタリングまたは指向性送信と呼ばれることもある)とは、ターゲットレシーバ(たとえば、UE115)の方向にアンテナビーム全体を整形および/またはステアリングするために、トランスミッタ(たとえば、基地局105)において使用されてもよい信号処理技法である。これは、特定の角度における送信信号が強め合う干渉を受ける一方で、他の角度における送信信号が弱め合う干渉を受けるように、アンテナアレイ内の要素を組み合わせることによって達成されてもよい。
【００７２】
多入力多出力(MIMO)ワイヤレスシステムは、トランスミッタ(たとえば、基地局105)とレシーバ(たとえば、UE115)との間である送信方式を使用し、トランスミッタとレシーバの両方が、複数のアンテナを備える。ワイヤレス通信システム100のいくつかの部分は、ビームフォーミングを使用してもよい。たとえば、基地局105は、基地局105がUE115とのその通信においてビームフォーミングのために使用してもよいアンテナポートのいくつかの行および列を有するアンテナアレイを有してもよい。信号は、異なる方向において複数回送信されてもよい(たとえば、各送信は、異なるようにビームフォーミングされてもよい)。mmWレシーバ(たとえば、UE115)は、同期信号を受信しながら複数のビーム(たとえば、アンテナサブアレイ)を試行してもよい。
【００７３】
いくつかの場合、基地局105またはUE115のアンテナは、ビームフォーミングまたはMIMO動作をサポートしてもよい1つまたは複数のアンテナアレイ内に位置してもよい。1つまたは複数の基地局アンテナまたはアンテナアレイは、アンテナタワーなどのアンテナアセンブリにおいて併置されてもよい。いくつかの場合、基地局105と関連付けられるアンテナまたはアンテナアレイは、多様な地理的ロケーションに位置してもよい。基地局105は、UE115との指向性通信のためのビームフォーミング動作を行うために、複数のアンテナまたはアンテナアレイを使用してもよい。
【００７４】
場合によっては、ワイヤレス通信システム100は、階層化プロトコルスタックに従って動作するパケットベースネットワークであってもよい。ユーザプレーンでは、ベアラまたはパケットデータコンバージェンスプロトコル(PDCP)レイヤにおける通信は、IPベースであってもよい。無線リンク制御(RLC)レイヤは、場合によっては、論理チャネル上で通信するために、パケットのセグメント化および再アセンブリを実行してもよい。媒体アクセス制御(MAC)レイヤは、優先度処理、およびトランスポートチャネルへの論理チャネルの多重化を実行してもよい。MACレイヤはまた、MACレイヤにおける再送信を行ってリンク効率を改善するために、ハイブリッドARQ(HARQ)を使用してもよい。制御プレーンでは、無線リソース制御(RRC)プロトコルレイヤは、ユーザプレーンデータのための無線ベアラをサポートする、UE115とネットワークデバイス、基地局105、またはコアネットワーク130との間のRRC接続の確立、構成、および維持を行ってもよい。物理(PHY)レイヤにおいて、トランスポートチャネルが物理チャネルにマッピングされてもよい。
【００７５】
LTEまたはNRにおける時間間隔は、(Ts=1/30,720,000秒のサンプリング周期であってもよい)基本時間単位の倍数で表されてもよい。時間リソースは、0から1023にわたるシステムフレーム番号(SFN)によって識別されてもよい、10ms(Tf=307200Ts)の長さの無線フレームに従って編成されてもよい。各フレームは、0から9の番号を付けられた10個の1msサブフレームを含んでもよい。サブフレームはさらに、2つの0.5msスロットに分割されることがあり、スロットの各々は、(各シンボルの先頭に付加されたサイクリックプレフィックスの長さに応じて)6つまたは7つの変調シンボル期間を含む。サイクリックプレフィックスを除いて、各シンボルは2048個のサンプル期間を含む。場合によっては、サブフレームは、TTI持続時間としても知られる最小のスケジューリング単位であってもよい。他の場合には、TTI持続時間は、サブフレームよりも短くてよく、または(たとえば、短いTTI持続時間バーストにおいて、もしくは短いTTI持続時間(たとえば、sTTI)を使用する選択されたコンポーネントキャリアにおいて)動的に選択されてもよい。
【００７６】
リソース要素は、1つのシンボル期間および1つのサブキャリア(たとえば、15kHz周波数範囲)からなってもよい。リソースブロックは、周波数領域における12個の連続するサブキャリア、および各OFDMシンボルの中のノーマルサイクリックプレフィックスの場合、時間領域(1スロット)における7つの連続するOFDMシンボル、すなわち84個のリソース要素を含んでもよい。各リソース要素によって搬送されるビット数は、変調方式(各シンボル期間の間に選択されてもよいシンボルの構成)に依存してもよい。したがって、UEが受信するリソースブロックが多いほど、また変調方式が高いほど、データレートは高くなってもよい。
【００７７】
ワイヤレス通信システム100は、複数のセルまたはキャリア上での動作、すなわちキャリアアグリゲーション(CA)またはマルチキャリア動作と呼ばれることがある機能をサポートしてもよい。キャリアは、コンポーネントキャリア(CC)、レイヤ、チャネルなどと呼ばれることもある。「キャリア」、「コンポーネントキャリア」、「セル」、および「チャネル」という用語は、本明細書では互換的に使用されてもよい。UE115は、キャリアアグリゲーションのために、複数のダウンリンクコンポーネントキャリア(CC)および1つまたは複数のアップリンクCCで構成されてもよい。キャリアアグリゲーションは、FDDコンポーネントキャリアとTDDコンポーネントキャリアの両方を用いて使用されてもよい。
【００７８】
場合によっては、ワイヤレス通信システム100は、拡張コンポーネントキャリア(eCC)を利用してもよい。eCCは、より広い帯域幅、より短いシンボル持続時間、より短いTTI持続時間、および修正された制御チャネル構成を含む、1つまたは複数の特徴によって特徴づけられてもよい。いくつかの場合には、eCCは、(たとえば、複数のサービングセルが準最適なまたは非理想的なバックホールリンクを有するとき)キャリアアグリゲーション構成またはデュアル接続性構成に関連付けられてもよい。eCCはまた、無認可スペクトルまたは(2つ以上の事業者がスペクトルを使用することを許可される)共有スペクトルにおいて使用するために構成されてもよい。広い帯域幅によって特徴づけられるeCCは、全帯域幅を監視することが可能ではないか、または(たとえば、電力を節約するために)限られた帯域幅を使用することを選好するUE115によって利用されてもよい、1つまたは複数のセグメントを含んでもよい。
【００７９】
場合によっては、eCCは、他のCCのシンボル持続時間と比較して低減されたシンボル持続時間の使用を含んでもよい、他のCCとは異なるシンボル持続時間を利用してもよい。より短いシンボル持続時間は、増加したサブキャリア間隔に関連付けられる。eCCを利用する、UE115または基地局105などのデバイスが、低減されたシンボル持続時間(たとえば、16.67マイクロ秒)において、広帯域信号(たとえば、20、40、60、80MHzなど)を送信してもよい。eCCにおけるTTI持続時間は、1つまたは複数のシンボルからなってもよい。場合によっては、TTI持続時間(すなわち、TTI持続時間におけるシンボルの数)は可変であってもよい。
【００８０】
共有無線周波数スペクトル帯域は、NR共有スペクトルシステムにおいて利用されてもよい。たとえば、NR共有スペクトルは、特に、認可スペクトル、共有スペクトル、および無認可スペクトルの任意の組合せを利用してもよい。eCCのシンボル持続時間およびサブキャリア間隔の柔軟性により、複数のスペクトルにわたるeCC使用が可能になってもよい。いくつかの例では、NR共有スペクトルは、具体的には、リソースの動的な垂直(たとえば、周波数にわたる)共有および水平(たとえば、時間にわたる)共有を介して、スペクトル利用率およびスペクトル効率を上げることができる。
【００８１】
場合によっては、ワイヤレスシステム100は、認可無線周波数スペクトル帯域と無認可無線周波数スペクトル帯域の両方を利用してもよい。たとえば、ワイヤレスシステム100は、5GHz産業科学医療用(ISM)帯域などの無認可帯域において、LTE License Assisted Access(LTE-LAA)もしくはLTE Unlicensed(LTE U)無線アクセス技術、またはNR技術を採用してもよい。無認可無線周波数スペクトル帯域において動作するとき、基地局105およびUE115などのワイヤレスデバイスは、データを送信する前にチャネルがクリアであることを保証するために、リッスンビフォアトーク(LBT:listen-before-talk)手順を採用してもよい。場合によっては、無認可帯域における動作は、認可帯域において動作するCCと連携したCA構成に基づいてもよい。無認可スペクトルにおける動作は、ダウンリンク送信、アップリンク送信、または両方を含んでもよい。無認可スペクトルにおける複信は、周波数分割複信(FDD)、時分割複信(TDD)、または両方の組合せに基づいてもよい。
【００８２】
本明細書で説明する例によれば、ワイヤレス通信システム100は、UE115が、1つまたは複数のサポートされた帯域または帯域組合せの各々について、sTTI持続時間およびTTI持続時間を有する送信を処理するためにUEの能力を表すインジケータを生成することを可能にしてもよく、基地局105は、UEのためのコンポーネントキャリアを構成およびスケジュールするために、インジケータを使用してもよい。
【００８３】
図2は、本開示の様々な態様による、ユーザ機器能力に基づく短縮送信時間間隔構成をサポートする、ワイヤレス通信システム200の一例を示す。いくつかの例では、ワイヤレス通信システム200は、ワイヤレス通信システム100の態様を実装してもよい。ワイヤレス通信システム200は、図1を参照しながら上記で説明した対応するデバイスの態様の例であってもよい、基地局105-aとUE115-aとを含む。図2の例では、ワイヤレス通信システム200は、LTE、5GまたはNR RATなど、無線アクセス技術(RAT)に従って動作してもよいが、本明細書で説明する技法は、任意のRATに、および2つ以上の異なるRATを同時に使用してもよいシステムに適用されてもよい。
【００８４】
UE115-aは、1つまたは複数のアップリンク通信リンク215-a、215-bを介して、かつ1つまたは複数のダウンリンク通信リンク215-c、215-d、215-eを介して、基地局105-aと通信してもよい。通信リンク215は、空間多重化、ビームフォーミング、および/または送信ダイバーシティを含む、MIMOアンテナ技術を使用してもよい。通信リンク215は、1つまたは複数のキャリアを使用して送信されてもよい。一例では、基地局105-aおよびUE115-aは、各方向における送信のために使用される合計Yx MHz(x個のコンポーネントキャリア)までのキャリアアグリゲーションにおいて割り振られた、キャリア当たりY MHz(たとえば、5、10、15、20MHz)帯域幅までのスペクトルを使用してもよい。キャリアは、周波数において互いに隣接することも、隣接しないこともある。キャリアの割振りは、ダウンリンク(DL)およびアップリンク(UL)に対して非対称であってもよい(たとえば、DLに対して、ULよりも多いキャリアまたは少ないキャリアが割り振られてもよい)。コンポーネントキャリアは、1次コンポーネントキャリアと、1つまたは複数の2次コンポーネントキャリアとを含んでもよい。1次コンポーネントキャリアは1次セル(PCell)と呼ばれることがあり、2次コンポーネントキャリアは2次セル(SCell)と呼ばれることがある。場合によっては、基地局105-aは、各コンポーネントキャリア内でTTIを割り振ってもよい。各TTIは、アップリンク送信およびダウンリンク送信のための時間および周波数リソースを含んでもよく、基地局105-aは、TTIを使用して、1つまたは複数のUE115-aと通信してもよい。場合によっては、基地局105-aは、mmW周波数を使用して送信してもよい。
【００８５】
図3は、本開示の様々な態様による、ユーザ機器能力に基づく短縮送信時間間隔構成をサポートする、フレーム構造300の一例を示す。送信タイムラインは、本明細書では無線フレームと呼ぶユニットに区分されてもよい。図示されるものは、フレームt-1、t、およびt+1である。各フレーム305は、定義された持続時間(たとえば、10ミリ秒(ms))を有することができ、対応するインデックスを有する定義された数のサブフレーム310(たとえば、0から9のインデックスをもつ10個のサブフレーム)に区分されてもよい。サブフレーム310は、アップリンク通信またはダウンリンク通信のために使用されてもよい。アップリンク通信では、UE115が基地局105に送信する。ダウンリンク通信では、基地局105がUE115に通信する。各サブフレーム310は、2つのスロットを含んでもよく、各スロットは、L個のシンボル期間、たとえば、ノーマルサイクリックプレフィックスの場合はL=7のシンボル期間、または拡張サイクリックプレフィックスの場合はL=6のシンボル期間を含んでもよい。各サブフレームの中の2L個のシンボル期間は、0〜2L-1というインデックスを割り当てられてもよい。
【００８６】
各サブフレーム310の利用可能な時間および周波数リソースは、リソースブロック(RB)に区分されてもよい。各リソースブロックは、1つのスロットにおいてN個のサブキャリア(たとえば、12個のサブキャリア)をカバーしてもよい。いくつかのリソース要素が、各シンボル期間において利用可能であってもよい。各リソース要素(RE)は、1つのシンボル期間において1つのサブキャリアをカバーしてもよく、実数値または複素数値であってもよい1つの変調シンボルを送るために使用されてもよい。各シンボル期間において基準信号に使用されないリソース要素は、リソース要素グループ(REG)に配列されてもよい。各REGは、1つのシンボル期間において4つのリソース要素を含んでもよい。
【００８７】
TTI315は、サブフレーム310の時間における持続時間(たとえば、1ms)と呼ばれることがある。sTTI320は、TTI持続時間315の持続時間未満である持続時間を有してもよい。一例では、sTTI320は、2つ以上のシンボルを含んでもよく、単一のスロットの持続時間などに対応してもよい。図示の例では、sTTI320-aは、1つのスロットの持続時間を有してもよく、sTTI320-b、320-c、および320-dは、まとめて1つのスロットの持続時間を有してもよい。いくつかの例では、TTI315は、ダウンリンクにおいてPDSCH情報、およびアップリンクにおいてPUSCH情報をトランスポートしてもよい。sTTI320は、ダウンリンクにおいてsPDSCH情報、およびアップリンクにおいてsPUSCHをトランスポートしてもよい。
【００８８】
UE115-aは、キャリアアグリゲーション帯域組合せごとにsTTIをサポートするために、基地局105-aにその能力情報を宣言するために、インジケータを生成してもよい。基地局105-aは、UE115-aを構成およびスケジュールするために、能力情報を使用してもよい。UE115-aは、本明細書で説明する技法を使用して、フィードバックタイミングのための低レイテンシ仕様を満たすために、sTTI持続時間およびTTI持続時間内に送信された情報を同時に処理してもよい。
【００８９】
図4は、本開示の様々な態様による、ユーザ機器能力に基づく短縮送信時間間隔構成をサポートする、プロセスフローチャート400の一例を示す。フローチャート400では、UE115-aは、基地局105-aとの接続を確立していることがある。
【００９０】
420で、UE115-aは、1つまたは複数のサポートされた帯域、帯域組合せ、あるいは1つまたは複数の帯域組合せのうちの帯域の各々について、第1の送信時間間隔(TTI)持続時間および第2のTTI持続時間を有する送信を処理するためのUE115-aの能力を決定することであって、第1のTTI持続時間が第2のTTI持続時間よりも短い、ことを行ってもよく、1つまたは複数のサポートされた帯域または帯域組合せの各々についての能力を表すインジケータを生成してもよい。インジケータは、UE115-aの能力に対応するビット値を有するビットシーケンスであってもよい。場合によっては、処理は、送信中に含まれた情報の復号、復号された情報を解釈すること、または解釈に基づいて動作することを含んでもよい。
【００９１】
いくつかの例では、インジケータは、UE115-aが、処理タイムラインに対応する送信を処理することが可能であるかどうかを含んでもよく、指示は、アップリンク送信およびダウンリンク送信のための異なる能力を示してもよい。いくつかの例では、インジケータは、UE115-aが、1つまたは複数の帯域について、1つまたは複数の帯域組合せについて、および帯域組合せのうちの1つまたは複数の帯域について、第1の処理タイムラインを有する送信をサポートするかどうかを示してもよく、またダウンリンク送信およびアップリンク送信のためのサポートをそれぞれ示してもよい。たとえば、インジケータは、1つまたは複数の帯域について、1つまたは複数の帯域組合せについて、および帯域組合せのうちの1つまたは複数の帯域について、UE115-aがDL HARQ処理タイムラインをサポートするかどうか、UE115-aがPUSCHスケジューリングタイムラインをサポートするかどうか、または両方を示してもよい。
【００９２】
UE115-aはまた、TTI持続時間の特定の長さのためのサポートと組み合わせた、処理タイムラインのためのサポートを示してもよい。たとえば、UE115-aは、第1のTTI持続時間および第2のTTI持続時間の各々のためのダウンリンク処理タイムラインをサポートするかどうかを示してもよい。別の例では、UE115-aは、第1のTTI持続時間および第2のTTI持続時間の各々のためのアップリンク処理タイムラインをサポートするかどうかを示してもよい。
【００９３】
UE115-aはまた、1つまたは複数のモードと組み合わせた、処理タイムラインのためのサポートを示してもよく、またダウンリンク送信およびアップリンク送信のためのサポートを示してもよい。たとえば、NR拡張モバイルブロードバンド(eMBB)モードおよびNR超高信頼低遅延通信(URLLC)モードの場合、両方の通信モードは、同じTTI持続時間(たとえば、ミニスロットTTI)を有してもよい短縮TTI持続時間を使用してもよいが、それらの処理タイムラインは異なってもよい。たとえば、UE115-aは、第1のモード(たとえば、NR eMBBモード)のための処理タイムラインがサポートされるかどうか、および第2のモード(たとえば、NR URLLCモード)のための処理タイムラインがサポートされるかどうかを示してもよい。いくつかの例では、モードのTTI持続時間は、基地局105-aとUE115-aとの間で使用される通信モードのタイプ(たとえば、拡張モバイルブロードバンド、大容量マシンタイプ通信、または超高信頼低遅延通信)に応じて異なってもよい。インジケータは、1つまたは複数の帯域、1つまたは複数の帯域組合せ、および帯域組合せのうちの1つまたは複数の帯域について、特定のモードにおいて動作するときの処理タイムラインのためのサポートを示してもよく、また1つまたは複数のモードのためのダウンリンク送信およびアップリンク送信のためのサポートを示してもよい。
【００９４】
一例では、UE115-aは、それにおいてUE115-aが第1のTTI持続時間(たとえば、sTTI320)および第2のTTI持続時間(たとえば、TTI持続時間315)を処理することが可能である、1つまたは複数のサポート可能なキャリアアグリゲーション(CA)帯域または帯域組合せのセットを決定してもよい。UE115-aはまた、UE115-aが、サポートされたCA帯域組合せの各々内でコンポーネントキャリアごとにサポートすることが可能である、空間レイヤの最大数を決定してもよい。場合によっては、UE115-aの能力は、UE115-aが特定の帯域または帯域組合せにおいてサポートする空間レイヤの数の関数であってもよい。CA帯域または帯域組合せごとにサポートされた空間レイヤの総数に基づいて、UE115-aは、それにおいてUEがTTI315とsTTI320の両方をサポートしてもよい周波数帯域を、インジケータにおいて宣言することができる。
【００９５】
UE115-aはまた、各CA帯域組合せ内でサポートすることができるコンポーネントキャリア(CC)の数(たとえば、CCの最大数)を決定してもよく、インジケータは、CCの数を示してもよい。UE115-aの示された能力は、UE115-aが特定の帯域または帯域組合せにおいてサポートすることができるCCの数の関数であってもよい。場合によっては、インジケータは、特定の帯域、帯域組合せ、または帯域組合せのうちの帯域において、UE115-aによってサポートされたダウンリンクCCの(たとえば、最大数までの)定義された数と、UE115-aによってサポートされたアップリンクCCの(たとえば、最大数までの)定義された数とを示してもよい。場合によっては、UE115-aによってサポートされたダウンリンクCCまたはアップリンクCCの定義された数は、特定の帯域、帯域組合せ、または帯域組合せのうちの帯域において、UE115-aがそれぞれダウンリンクsTTIおよび/またはアップリンクsTTIにおいてサポートすることが可能であってもよいCCの最大数であってもよい。
【００９６】
場合によっては、UE115-aは、(たとえば、異なるPUCCHグループにわたる)1つまたは複数の同時送信構成の各々をサポートするためのその能力を示してもよい。たとえば、基地局105-aは、複数の送信構成(たとえば、{2,7}および{7,7}構成、{2,2}および{2,7}構成、ならびに{2,2}および{7,7}構成)を用いて、UE115-aを構成するように試みることができ、UE115-aは、いくつのコンポーネントキャリアを各構成内でサポートするかを示してもよい。一例では、送信構成は、たとえば、{x,y}+{z,w}構成であってもよくインジケータは、{x,y}+{z,w}構成について、サポートされたDL CCおよび/またはUL CCの数を示してもよい。構成は、たとえば、1つまたは複数の物理アップリンク制御チャネル(PUCCH)グループに対応してもよい。値ペア{x,y}について、値xは、サポートされたDL TTI持続時間(たとえば、x個の動作シンボル(os))を示してもよく、値yは、サポートされたUL TTI持続時間(たとえば、y個のos)を示してもよい。一例では、UE115-aは、第1のPUCCHグループにおけるコンポーネントキャリアにわたる{2,7}+{7,7}、{2,7}、および第2のPUCCHグループのコンポーネントキャリア上の{7,7}をサポートしてもよい。これらの値ペアについて、インジケータは、PUCCHグループごとにDLおよびULにおいてサポートされたコンポーネントキャリアの数を別個に示してもよい。たとえば、{2,7}+{7,7}構成では、UE115-aは、値ペア{2,7}についていくつのダウンリンクコンポーネントキャリアをサポートするか、および値ペア{2,7}についていくつのULコンポーネントキャリアをサポートするかを、インジケータにおいて示してもよい。UE115-aはまた、第2のPUCCHグループについて、値ペア{7,7}についていくつのダウンリンクコンポーネントキャリアをサポートするか、および値ペア{7,7}について、いくつのULコンポーネントキャリアをサポートするかを示してもよい。
【００９７】
UE115-aは、その処理能力が、sTTIがサポートされること、sTTIが少なくとも1つの制約付きでサポートされること、およびsTTIがサポートされないことを含む、異なるレベルのsTTIサポートを可能にすると判定してもよい。
【００９８】
sTTIがサポートされる場合、UE115-aは、コンポーネントキャリアごとにX個の空間レイヤをサポートすることが可能であってもよく、ここでXは整数である。sTTIのためにある処理能力を確保するために、UE115-aは、UE115-aがY個の空間レイヤをサポートしてもよいことを表すために、インジケータを生成してもよく、ここでYは、X未満である整数である。UE115-aは、その全処理能力未満を宣言するので、UE115-aは、PDSCH情報およびsPDSCH情報をそれぞれ含む、sTTI持続時間およびTTI持続時間における送信を処理するために使用されてもよい、ある処理能力を確保してもよい。たとえば、PDSCHおよびsPDSCHが、所与のコンポーネントキャリア上でスケジュールされるとき、UE115-aは、PDSCH情報およびsPDSCH情報のストリームを同時に処理するために、確保された処理能力を利用してもよい。
【００９９】
UE115-aは、他の方法で、sTTIのためにその処理能力を確保してもよい。いくつかの例では、UE115-aは、1つまたは複数のサポートされた帯域または帯域組合せのうちの第1のサポートされた帯域または帯域組合せのための拡張物理ダウンリンク制御チャネル(ePDCCH)ベースのスケジューリングのためのサポートを示してもよい。たとえば、sTTIが構成されないとき、UE115-aがePDCCHをサポートすることが可能である場合でも、UE115-aは、1つまたは複数のCA帯域組合せのコンポーネントキャリア(CC)上でePDCCHベースのスケジューリングをサポートしないことをインジケータにおいて宣言してもよい。追加または代替として、UE115-aは、別個に以下をサポートするためのその能力を、インジケータにおいて示してもよく、すなわちUE115-aが、異なるサービングセル上でePDCCHおよびsTTIをサポートすることが可能であるかどうか、ならびにUE115-aが、異なるサービングセル上でePDCCHおよび短縮処理タイムラインをサポートすることが可能であるかどうかである。さらなる一例では、sTTIが構成されないとき、UE115-aがDMRSベースのTMをサポートすることが可能である場合でも、UE115-aは、DMRSベースのTMをサポートしないことをインジケータにおいて宣言してもよい。上記のように、UE115-aは、PDSCH情報およびsPDSCH情報のストリームを同時に処理するために、確保された処理能力を使用してもよい。
【０１００】
sTTIが、少なくとも1つの制約の下でサポートされる場合、UE115-aは、その下でUE115-aが、PDSCH情報およびsPDSCH情報をそれぞれ含むsTTI持続時間およびTTI持続時間を有する送信を処理することが可能である制約を、インジケータにおいて指定してもよい。いくつかの例では、制約は、UEに対する処理制約であってもよくインジケータは、1つまたは複数のサポートされた帯域または帯域組合せの各々までに対する異なる処理制約を示してもよい。一例では、UE115-aは、いつPDSCH情報を破棄することになるかについての制約を指定してもよい。sTTIがCA帯域組合せの周波数帯域においてスケジュールされる場合、UE115-aは、それにおいてUE115-aがsTTI320より前に受信された1つまたは複数のTTI持続時間315からのPDSCH情報を破棄する深度を識別するために、破棄ウィンドウ深度を指定してもよい。たとえば、破棄ウィンドウ深度は、sTTI320より前のTTI315の定義された数Zに対応してもよく、UE115-aは、処理されている破棄ウィンドウ深度内の一部または全部のPDSCH情報を破棄してもよい。Zの値は、帯域ごとに異なるように宣言されてもよく、インジケータは、帯域ごとのZ値を含んでもよい。UEは、その能力として、帯域の各々のためのZの値を、インジケータにおいて宣言してもよく、ここで宣言されたDL MIMO能力は、(上記で説明したような、低減された能力の宣言ではなく)UEの最大能力であってもよい。
【０１０１】
いくつかの例では、UE115-aは、DL送信およびUE送信のための破棄ウィンドウ深度を別個に示してもよい。たとえば、UE115-aは、アップリンクインジケータにおいて、アップリンク送信のためのアップリンク破棄ウィンドウ深度を示してもよく、ダウンリンクインジケータにおいて、ダウンリンク送信のためのダウンリンク破棄ウィンドウ深度を示してもよい。いくつかの例では、UE115-aは、異なるTTI持続時間について、ならびにUL送信およびDL送信について、異なる処理タイムラインに少なくとも基づいて、破棄ウィンドウ深度を別個に示してもよい。たとえば、ダウンリンクTTI持続時間(たとえば、DL sTTI)の長さが2つの動作シンボル(たとえば、2つのos)である場合、UEは、n+4シンボル処理タイムラインのための第1の破棄ウィンドウ長さおよび、n+6シンボル処理タイムラインのための第1の破棄ウィンドウ長さとは異なる第2の破棄ウィンドウ長さを示してもよく、ここでnはシンボルの整数個である。図5は、破棄ウィンドウ深度の追加の説明を提供する。
【０１０２】
UE115-aは、インジケータにおいて他の制約を宣言してもよい。たとえば、UE115-aは、UE115-aがsTTIをサポートすることを可能にするために、ePDCCHベースのスケジューリングおよび/またはDMRSベースのTMがサポートされないことを指定してもよい。
【０１０３】
sTTIがサポートされない場合、UE115-aは、sTTIがCA帯域組合せのうちの1つまたは複数においてサポートされないことをインジケータにおいて指定してもよい。そのような場合、基地局105-aは、CA帯域組合せ内の所与の帯域のコンポーネントキャリア上でsTTIをスケジュールしないことがある。
【０１０４】
別の例では、UE115-aは、サポートすることができるsTTIのためのCCの数に対して、サポートすることができるTTIのためのCCの数の間の関係を決定してもよく、インジケータにおいて関係をシグナリングしてもよい。たとえば、UE115-aは、UE115-aがサポートすることができるsTTIの各CCが、UE115-aがサポートすることができるTTIの2CCに相当することを指定してもよい。たとえば、UE115-aは、以下の能力、すなわち(1)TTIのみで10CC、(2)TTIで8CC、およびsTTIで1CC、(3)TTIで6CC、およびsTTIで2CCなどを宣言してもよい。
【０１０５】
いくつかの例では、アップリンク送信のためのsTTIサポートは、ダウンリンク送信のためのsTTIサポートとは異なってもよい。これらの差分を考慮するために、UE115-aは、アップリンク送信およびダウンリンク送信について、別個にかつ/または無関係にインジケータにおいてUE能力を指定してもよい。いくつかの例では、UEによってサポートされたTTI持続時間の長さは、UL送信およびDL送信について別個に示されてもよい。たとえば、ダウンリンクインジケータは、UE115-aがダウンリンク送信のためにサポートするTTI持続時間の長さ(たとえば、サポートされたDL TTI持続時間)を示してもよく、アップリンクインジケータは、UEがアップリンク送信のためにサポートするTTI持続時間の長さ(たとえば、サポートされたUL TTI持続時間)を示してもよい。いくつかの例では、ダウンリンクインジケータおよびアップリンクインジケータは、ダウンリンク送信のためにサポートされたTTI持続時間の第1の長さと、アップリンク送信のためにサポートされたTTI持続時間の第2の長さとを示す、ジョイントインジケータであってもよい。たとえば、UE115-aは、ダウンリンク送信のために2つの動作シンボル(os)sTTI(たとえば、DLにおける2os sTTI)をサポートすることができることをダウンリンクインジケータにおいて示してもよく、アップリンク送信のために7つの動作シンボルsTTI(たとえば、ULにおける7os sTTI)をサポートすることができることをアップリンクインジケータにおいて示してもよい。場合によっては、UE115-aは、ジョイントインジケータを使用して、UE115-aがDL送信のために2os sTTI、およびUL送信のために7os sTTIをサポートすることができることを示してもよい。たとえば、インジケータは、{2,7}構成のためのサポートを示してもよく、ここで{2,7}値ペアにおける第1の値は、サポートされたDL TTI持続時間に対応し、値ペアにおける第2の値は、サポートされたUL TTI持続時間に対応する。インジケータは、1つまたは複数の帯域について、1つまたは複数の帯域組合せについて、および帯域組合せのうちの1つまたは複数の帯域について、UEによってサポートされたDLおよび/またはUL送信のためのTTI持続時間の長さを示してもよい。
【０１０６】
一例では、sTTIをサポートするための処理能力の量は、アップリンクと比較して、ダウンリンクにおいて異なってもよい。いくつかの例では、UE115-aは、PDSCH情報およびsPDSCH情報の復号と比較して、PUSCH情報およびsPUSCH情報を生成するために、符号化のためのより少ない計算能力を利用してもよい。いくつかの事例では、UE115-aは、sTTIがアップリンクにおいてサポートされるが、ダウンリンクにおいてサポートされないか、または制約付きでサポートされることをインジケータにおいてシグナリングしてもよい。たとえば、インジケータは、各サポートされたキャリアアグリゲーション帯域組合せにおいて、アップリンクsTTIを処理するためのUE115-aの能力を示すアップリンクインジケータと、各サポートされたキャリアアグリゲーション帯域組合せにおいて、ダウンリンクsTTIを処理するためのUE115-aの能力を示すダウンリンクインジケータとを含んでもよい。いくつかの例では、UE115-aが、サポートされた帯域または帯域組合せのための特定のサブフレームにおいてTTIおよびsTTIを同時に処理することが可能でないとき、UE115-aは、TTI送信をドロップするための破棄ウィンドウ深度を決定してもよい。場合によっては、アップリンク送信のための破棄ウィンドウ深度は、ダウンリンク送信のための破棄ウィンドウ深度とは異なってもよい。
【０１０７】
いくつかの例では、sTTIは、異なる長さ(たとえば、異なるシンボルの数、異なるスロットの数など)を有してもよい。UE115-aは、各CA帯域またはCA帯域組合せにおける異なる長さのsTTIについて別個に、インジケータにおいて能力を指定してもよく、ここでこれらの能力は、sTTIの長さの関数であってもよい。いくつかの例では、sTTIの長さは、2つのシンボルからスロット全体までに及ぶことがあり、長さは、アップリンク方向およびダウンリンク方向で異なってもよい。いくつかの事例では、UE115-aは、sTTIが各CA帯域組合せにおける各sTTI長さのためにサポートされるかどうかをインジケータにおいてシグナリングしてもよい。
【０１０８】
いくつかの例では、UE115-aは、CA帯域組合せごとの周波数帯域ごとにsTTIをサポートする能力を、インジケータにおいて指定してもよい。たとえば、UE115-aは、1つまたは複数の制約の下である周波数帯域においてsTTIをサポートし、その帯域における所与のCCのサブフレーム内でスケジュールされたsPDSCHおよびPDSCHを復号する能力を宣言する能力を、インジケータにおいて宣言してもよい。別の例では、UE115-aは、ある帯域においていくつかの制約の下でsTTIをサポートし、その帯域における所与のCCの1つのサブフレームにおいてスケジュールされたPDSCHとsPDSCHの両方を復号することが可能でないことをインジケータにおいて宣言する能力を、インジケータにおいて宣言してもよい。
【０１０９】
いくつかの例では、UE115-aは、拡張物理ダウンリンク制御チャネル(ePDCCH)ベースのスケジューリングが、キャリアアグリゲーション帯域組合せごとのコンポーネントキャリアごとにサポートされるかどうかをインジケータにおいて指定してもよい。UE115-aはまた、復調基準信号(DMRS)ベースの送信モード(TM)が、キャリアアグリゲーション帯域組合せごとのコンポーネントキャリアごとにサポートされるかどうかをインジケータにおいて指定してもよい。
【０１１０】
425で、UE115-aは、1つまたは複数のサポートされた帯域または帯域組合せの各々について、UEの能力を表すインジケータを生成してもよく、基地局105-aにインジケータを送信してもよい。
【０１１１】
430で、基地局105-aは、インジケータを処理し、インジケータに基づいて、1つまたは複数のコンポーネントキャリアを用いて、UE115-aを構成してもよい。一例では、基地局105-aは、UE115-aがサポートしてもよいコンポーネントキャリアの最大数を決定するために、インジケータを処理してもよい。いくつかの事例では、どのコンポーネントキャリアをスケジュールするべきかを選択するための柔軟性を基地局105-aに与えるために、基地局105-aは、UE115-aがサポートすることができるコンポーネントキャリアの最大数を超える数のコンポーネントキャリアを用いて、UE115-aを構成するように決定してもよい。従来のシステムでは、最大数よりも多いコンポーネントキャリアを用いてUE115-aを構成することを試みる構成メッセージを受信するUE115-aは、構成エラーを宣言することになる。本明細書で説明する例では、構成エラーを宣言するのではなく、UE115-aは、基地局105-aのスケジューリング判定に依拠してもよい。しかしながら、TTIとsTTIの両方のためのスケジュールされたCCの数が、UE115-aが両方を同時に処理することができないようなものである場合、UE115-aは、TTI持続時間およびsTTI持続時間のうちの一方において受信された送信をドロップするように選択してもよく、ドロップされている情報(たとえば、ドロップされたパケット)のためのNACKを送ってもよい。UE115-aは、基地局105-aにそのようなインジケータを送信し、sTTIの間のUL送信のためのUL CCの定義された数、またはsTTIの間のDL送信のためのDL CCの定義された数を超える、1つまたは複数のサポートされた帯域または帯域組合せのうちの第1のサポートされた帯域または帯域組合せにおけるCCの第1の数を示す構成メッセージを受信してもよい。
【０１１２】
440で、基地局105-aは、決定された構成とともに、UE115-aに構成メッセージを送信してもよく、UE115-aは、構成を適用してもよい。構成メッセージは、1つまたは複数のCA帯域組合せにおける1つまたは複数の周波数帯域において1つまたは複数のコンポーネントキャリアを受信するように、UE115-aを構成してもよい。いくつかの例では、構成メッセージは、UE115-aがサポートすることが可能であるよりも多いコンポーネントキャリアを、1つまたは複数のCA帯域組合せにおける1つまたは複数の周波数帯域において受信するように、UE115-aを構成してもよい。
【０１１３】
445で、基地局105-aは、インジケータに基づいて、UE115-aによってサポートされたCA帯域組合せの周波数帯域内で、1つまたは複数のコンポーネントキャリアをスケジュールしてもよい。一例では、基地局105-aは、1つまたは複数のコンポーネントキャリア上で、サポートされたCA帯域組合せの周波数帯域内で、TTIにおけるPDSCH情報、およびサポートされる場合、sTTIにおけるsPDSCH情報の送信をスケジュールしてもよい。
【０１１４】
450で、基地局105-aは、スケジューリングに基づいて、1つまたは複数のコンポーネントキャリア上で、サポートされたCA帯域組合せの周波数帯域内で、TTIにおけるPDSCH情報、およびサポートされる場合、sTTIにおけるsPDSCH情報を送信してもよい。
【０１１５】
455で、UE115-aは、インジケータにおいて表された能力に従って、PDSCH情報および/またはsPDSCH情報を処理してもよい。PDSCH情報および/またはsPDSCH情報の処理の追加の態様について、以下で図5を参照しながら説明する。いくつかの例では、UE115-aは、基地局105-aが、UE115-aがサポートすることが可能であるよりも多いコンポーネントキャリアをスケジュールしたと判定してもよい。そのような場合、UE115-aは、過剰なコンポーネントキャリア上で送信されたPDSCH情報、sPDSCH情報、または両方をドロップしてもよい。次いで、UE115-aは、ドロップされたPDSCH情報および/またはsPDSCH情報のための否定応答を送信してもよい。
【０１１６】
460で、UE115-aは、もしあれば、sPDSCH情報のためのACK/NACKを、sTTI肯定応答タイムラインに従って送信してもよい。一例では、UE115-aは、サブフレーム310のsTTI内で送信されたsPDSCH情報を処理し、そのサブフレーム310の終了前に肯定応答メッセージ(たとえば、ACK/NACK)で応答してもよい。
【０１１７】
465で、UE115-aは、もしあれば、PDSCH情報のためのACK/NACKを、TTI肯定応答タイムラインに従って送信してもよい。一例では、UE115-aは、サブフレーム310のTTI内で送信されたPDSCH情報を処理し、最高で定義された数のサブフレーム後に、肯定応答メッセージ(たとえば、ACK/NACK)で応答してもよい(たとえば、n+3個のサブフレーム後のHARQ)。
【０１１８】
フローチャート400における動作は、1回または複数回繰り返してもよい。いくつかの事例では、動作450から465は、基地局105-aがPDSCH情報および/またはsPDSCH情報を送信し、UE115-aがPDSCH情報および/またはsPDSCH情報を肯定応答するとき、繰り返してもよい。
【０１１９】
図5は、本開示の様々な態様による、ユーザ機器能力に基づく短縮送信時間間隔構成をサポートする、バッファリングタイムラインおよび処理タイムラインの例示的な図を示す。バッファタイムライン505および処理タイムライン510は、左から右に進む時間とともに示される。バッファタイムライン505は、PDSCH情報を含むTTIが受信されるときの時間を示し、TTI n-3からのPDSCH情報が左に示され、その後にTTI n-2、TTI n-1、およびTTI nが続く。バッファタイムライン505はまた、sPDSCH情報を含むsTTIが受信されるときの時間を示す。
【０１２０】
処理タイムライン510は、PDSCH情報および/またはsPDSCH情報がバッファされるときに対して、UE115-aが受信されたPDSCH情報および/またはsPDSCH情報の処理を開始するときを示す。図示のように、特定のTTIのPDSCH情報が処理されるときに対して、特定のTTIのPDSCH情報がバッファされるときの間にラグがある。一例では、TTI n-3のPDSCH情報がバッファされるときから、UE115-aがTTI n-3のPDSCH情報の処理を開始するときの間に、1msの遅延があってもよい。バッファタイムライン505および処理タイムライン510を比較することによって見られるように、UE115-aは、sPDSCH情報がバッファされるとすぐに、または実際的にすぐに、sPDSCH情報の処理を開始しようと試みてもよい。
【０１２１】
TTIフィードバックタイムライン(たとえば、n+3 HARQタイミングルール)に基づいて、UE115-aは、その間にPDSCH情報を処理し、ACKまたはNACKで応答するための定義された時間量(たとえば、処理タイムライン)を有してもよい。定義された時間量を、本明細書ではPDSCH処理ウィンドウ515と呼び、TTI n-3からのPDSCH情報のための処理ウィンドウが示される。同様に、sTTIフィードバックタイムラインに基づいて、UE115は、その間にsPDSCH情報を処理し、ACKまたはNACKで応答するための定義された時間量を有してもよい。定義された時間量を、本明細書ではsPDSCH処理ウィンドウ520と呼び、sPDSCH処理ウィンドウ520は、それにおいてsPDSCHが受信される同じサブフレームの終了で満了する。
【０１２２】
いくつかの例では、UE115-aによるsTTIにおけるsPDSCH情報の受信は、TTIにおけるPDSCH情報の受信と重複しないことがあるが、sPDSCH情報の処理持続時間は、PDSCH情報の処理と時間において少なくとも部分的に重複してもよい。たとえば、処理タイムライン510に示すように、sPDSCH情報の処理は、TTI n-3からのPDSCH情報の処理と重複する。UE115-aは、sTTIのための肯定応答タイムラインに少なくとも部分的に基づくsPDSCH情報のための第1の肯定応答メッセージと、TTIのための肯定応答タイムラインに少なくとも部分的に基づくPDSCH情報のための第2の肯定応答メッセージとを送信してもよい。
【０１２３】
上述のように、UE115-aは、破棄ウィンドウ深度制約付きでsTTIをサポートしてもよい。それにおいてUE115-aが、sPDSCHより前に受信されたPDSCH情報を破棄してもよい深度を示す、破棄ウィンドウ深度525が示される。インジケータが、sTTIが破棄ウィンドウ深度制約の下でサポートされることを指定する場合、sPDSCHが特定のサブフレームにおいて受信されるとき、UE115-aは、sPDSCHより前に受信された1つまたは複数のTTIからのPDSCH情報を破棄してもよい。図示の例では、UE115-aは、TTI n-4からのPDSCH情報を破棄してもよい。破棄ウィンドウ深度525が複数のTTIからのPDSCH情報を含む場合、UE115-aは、PDSCH情報の一部または全部を破棄する。
【０１２４】
いくつかの例では、UE115-aは、処理ウィンドウ515内のPDSCH情報の最大トランスポートブロックサイズ(TBS)および/またはリソースブロックの数と、PDSCH情報の一部または全部を破棄するより前の処理ウィンドウ515内のsPDSCH情報のTBSおよび/またはリソースブロックの数との和を決定してもよい。一例では、UE115-aは、処理ウィンドウ515の持続時間に対応する時間量内で定義されたデータ量(たとえば、最大トランスポートブロックサイズ(TBS)、RBの最大数)を処理するための処理能力を有してもよい。UE115-aは、処理レートしきい値との比較のために、処理ウィンドウ515内のPDSCH情報の最大TBSおよび/またはリソースブロックの数と、処理されるのを待機している処理ウィンドウ515内のsPDSCH情報のTBSおよび/またはリソースブロックの数との和を決定してもよい。処理レートしきい値は、UE115-aが処理ウィンドウ515の持続時間内で処理することが可能である、定義されたデータ量(たとえば、最大トランスポートブロックサイズ(TBS)、RBの最大数)であってもよい。和がしきい値を満たす(たとえば、しきい値未満である)場合、UE115-aは、PDSCH情報のうちのいずれも破棄しないように決定してもよい。和がしきい値を満たさない(たとえば、しきい値に合うか、またはしきい値を超える)場合、UE115-aは、新たに計算された和がしきい値を満たすように、1つまたは複数のサブフレームのPDSCH情報を破棄するように決定してもよい。
【０１２５】
本明細書で説明する例は、UE115-aが、1つまたは複数のサポートされた帯域または帯域組合せの各々について、sTTI持続時間およびTTI持続時間を有する送信を処理するための、UE115-aの能力を表すインジケータを生成することを可能にし、基地局105-aは、UE115-aのためのコンポーネントキャリアを構成およびスケジュールするために、インジケータを使用してもよいので、有利である。
【０１２６】
図6は、本開示の態様による、ユーザ機器能力に基づく短縮送信時間間隔構成をサポートする、ワイヤレスデバイス605のブロック図600を示す。ワイヤレスデバイス605は、本明細書で説明したUE115の態様の一例であってもよい。ワイヤレスデバイス605は、レシーバ610と、UE通信マネージャ615と、トランスミッタ620とを含んでもよい。ワイヤレスデバイス605はまた、プロセッサを含んでもよい。これらのコンポーネントの各々は、(たとえば、1つまたは複数のバスを介して)互いに通信中であってもよい。
【０１２７】
レシーバ610は、パケット、ユーザデータ、または様々な情報チャネルに関連付けられた制御情報(たとえば、制御チャネル、データチャネル、およびユーザ機器能力に基づく短縮送信時間間隔構成に関する情報など)などの情報を受信してもよい。情報はデバイスの他のコンポーネントに渡されてもよい。レシーバ610は、図9を参照しながら説明するトランシーバ935の態様の一例であってもよい。レシーバ610は、単一のアンテナまたはアンテナのセットを利用してもよい。
【０１２８】
UE通信マネージャ615は、図9を参照しながら説明するUE通信マネージャ915の態様の一例であってもよい。
【０１２９】
UE通信マネージャ615および/またはその様々なサブコンポーネントのうちの少なくともいくつかは、ハードウェア、プロセッサによって実行されるソフトウェア、ファームウェア、またはそれらの任意の組合せで実装されてもよい。プロセッサによって実行されるソフトウェアで実装される場合、UE通信マネージャ615および/またはその様々なサブコンポーネントのうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェアコンポーネント、または本開示で説明する機能を実行するように設計されたそれらの任意の組合せによって実行されてもよい。UE通信マネージャ615および/またはその様々なサブコンポーネントのうちの少なくともいくつかは、機能の一部が1つまたは複数の物理デバイスによって異なる物理的ロケーションにおいて実装されるように分散されることを含む、様々な位置に物理的に配置されてもよい。いくつかの例では、UE通信マネージャ615および/またはその様々なサブコンポーネントのうちの少なくともいくつかは、本開示の様々な態様による別個のおよび異なるコンポーネントであってもよい。他の例では、UE通信マネージャ615および/またはその様々なサブコンポーネントのうちの少なくともいくつかは、限定はしないが、I/Oコンポーネント、トランシーバ、ネットワークサーバ、別のコンピューティングデバイス、本開示で説明した1つまたは複数の他のコンポーネント、あるいは本開示の様々な態様によるそれらの組合せを含む、1つまたは複数の他のハードウェアコンポーネントと組み合わせられてもよい。
【０１３０】
UE通信マネージャ615は、1つまたは複数のサポートされた帯域または帯域組合せの各々について、第1の送信時間間隔(TTI)持続時間および第2のTTI持続時間を有する送信を処理するための、UE115の能力を決定することであって、第1のTTI持続時間が第2のTTI持続時間よりも短い、決定すること、1つまたは複数のサポートされた帯域または帯域組合せの各々についての能力を表すインジケータを生成すること、ならびに基地局105にインジケータを送信することを行ってもよい。
【０１３１】
トランスミッタ620は、デバイスの他のコンポーネントによって生成された信号を送信してもよい。いくつかの例では、トランスミッタ620は、トランシーバモジュールにおいてレシーバ610とコロケートされてもよい。たとえば、トランスミッタ620は、図9を参照しながら説明するトランシーバ935の態様の一例であってもよい。トランスミッタ620は、単一のアンテナまたはアンテナのセットを利用してもよい。
【０１３２】
図7は、本開示の態様による、ユーザ機器能力に基づく短縮送信時間間隔構成をサポートする、ワイヤレスデバイス705のブロック図700を示す。ワイヤレスデバイス705は、図6を参照しながら説明したようなワイヤレスデバイス605またはUE115の態様の一例であってもよい。ワイヤレスデバイス705は、レシーバ710と、UE通信マネージャ715と、トランスミッタ720とを含んでもよい。ワイヤレスデバイス705はまた、プロセッサを含んでもよい。これらのコンポーネントの各々は、(たとえば、1つまたは複数のバスを介して)互いに通信中であってもよい。
【０１３３】
レシーバ710は、パケット、ユーザデータ、または様々な情報チャネルに関連付けられた制御情報(たとえば、制御チャネル、データチャネル、およびユーザ機器能力に基づく短縮送信時間間隔構成に関する情報など)などの情報を受信してもよい。情報はデバイスの他のコンポーネントに渡されてもよい。レシーバ710は、図9を参照しながら説明するトランシーバ935の態様の一例であってもよい。レシーバ710は、単一のアンテナまたはアンテナのセットを利用してもよい。
【０１３４】
UE通信マネージャ715は、図9を参照しながら説明するUE通信マネージャ915の態様の一例であってもよい。
【０１３５】
UE通信マネージャ715はまた、能力コンポーネント725と、インジケータコンポーネント730とを含んでもよい。
【０１３６】
能力コンポーネント725は、第1のTTI持続時間および第2のTTI持続時間を有する送信を処理するための、UE115の能力を決定することであって、第1のTTI持続時間が第2のTTI持続時間よりも短い、決定することを行ってもよい。
【０１３７】
インジケータコンポーネント730は、1つまたは複数のサポートされた帯域または帯域組合せの各々についての能力を表すインジケータを生成し、基地局にインジケータを送信してもよい。場合によっては、インジケータは、UE115が、キャリアアグリゲーション帯域組合せにおいて、第1のTTI持続時間および第2のTTI持続時間における送信を同時に処理することが可能であることを示す。場合によっては、インジケータは、UE115が、キャリアアグリゲーション帯域組合せにおいて、第1のTTI持続時間における送信を処理することが可能でないことを示す。場合によっては、インジケータは、キャリアアグリゲーション帯域組合せのセットの各々において、第1のTTI持続時間を処理するための、UE115の能力を示す。場合によっては、インジケータは、キャリアアグリゲーション帯域組合せにおいて、第1のTTI持続時間のアップリンクインスタンスを処理するための、UE115の能力を示すアップリンクインジケータと、キャリアアグリゲーション帯域組合せにおいて、第1のTTI持続時間のダウンリンクインスタンスを処理するための、UE115の能力を示すダウンリンクインジケータとを含む。場合によっては、インジケータは、キャリアアグリゲーション帯域組合せにおいて、第1の長さを有する第1のTTI持続時間の第1のインスタンスにおける送信を処理するための、UE115の能力と、キャリアアグリゲーション帯域組合せにおいて、第2の長さを有する第1のTTI持続時間の第2のインスタンスにおける送信を処理するための、UE115の能力とを示す。場合によっては、インジケータは、ePDCCHベースのスケジューリングが、キャリアアグリゲーション帯域組合せごとのコンポーネントキャリアごとにサポートされるかどうかを示す。場合によっては、インジケータは、DMRSベースのTMが、キャリアアグリゲーション帯域組合せごとのコンポーネントキャリアごとにサポートされるかどうかを示す。場合によっては、インジケータコンポーネント730は、第1のTTI持続時間のためのサポートのコンポーネントキャリアごとの指示を送信してもよい。場合によっては、指示は、能力に対する制約を指定する。
【０１３８】
場合によっては、1つまたは複数のサポートされた帯域または帯域組合せの各々における各帯域について、インジケータは、UE115が1つまたは複数のサポートされた帯域または帯域組合せの各々において動作する間、各帯域上の第1のTTI持続時間および第2のTTI持続時間を有する送信をサポートするための、UE115の能力を示す。場合によっては、インジケータは、UE115が1つまたは複数のサポートされた帯域または帯域組合せの各々において動作するときの能力に対する制約を示す。上記で説明した方法、装置、および非一時的コンピュータ可読媒体のいくつかの例では、制約は、UEの処理制約であってもよい。場合によっては、処理制約は、最大トランスポートブロックサイズ、リソースブロックの最大数、または両方に関連付けられた、破棄ウィンドウ深度である。場合によっては、処理制約は、拡張物理ダウンリンク制御チャネル(ePDCCH)ベースのスケジューリング、または復調基準信号(DMRS)ベースの送信モード(TM)、または両方に関連付けられる。場合によっては、インジケータコンポーネント730は、UE115が、1つまたは複数のサポートされた帯域または帯域組合せの各々において動作する間、第1のTTI持続時間および第2のTTI持続時間における送信を同時に処理することが可能であると判定してもよく、インジケータは、UE115が第1のTTI持続時間および第2のTTI持続時間における送信を同時に処理することが可能であることを表す。
【０１３９】
トランスミッタ720は、デバイスの他のコンポーネントによって生成された信号を送信してもよい。いくつかの例では、トランスミッタ720は、トランシーバモジュールにおいてレシーバ710とコロケートされてもよい。たとえば、トランスミッタ720は、図9を参照しながら説明するトランシーバ935の態様の一例であってもよい。トランスミッタ720は、単一のアンテナまたはアンテナのセットを利用してもよい。
【０１４０】
図8は、本開示の態様による、ユーザ機器能力に基づく短縮送信時間間隔構成をサポートする、UE通信マネージャ815のブロック図800を示す。UE通信マネージャ815は、図6、図7、および図9を参照しながら説明するUE通信マネージャ615、715、または915の態様の一例であってもよい。UE通信マネージャ815は、能力コンポーネント820と、インジケータコンポーネント825と、帯域コンポーネント830と、レイヤコンポーネント835と、処理コンポーネント840と、ウィンドウコンポーネント845と、しきい値コンポーネント850と、比較器コンポーネント855と、破棄コンポーネント860と、構成コンポーネント865と、スケジューリングコンポーネント870と、肯定応答コンポーネント875と、関係コンポーネント880とを含んでもよい。これらのモジュールの各々は、(たとえば、1つまたは複数のバスを介して)直接または間接的に互いに通信してもよい。
【０１４１】
能力コンポーネント820は、1つまたは複数のサポートされた帯域または帯域組合せの各々について、第1のTTI持続時間および第2のTTI持続時間を有する送信を処理するための、UE115の能力を決定することであって、第1のTTI持続時間が第2のTTI持続時間よりも短い、決定することを行ってもよい。
【０１４２】
インジケータコンポーネント825は、1つまたは複数のサポートされた帯域または帯域組合せの各々についての能力を表すインジケータを生成し、基地局にインジケータを送信してもよい。場合によっては、インジケータは、UE115が、キャリアアグリゲーション帯域組合せにおいて、第1のTTI持続時間および第2のTTI持続時間における送信を同時に処理することが可能であることを示す。場合によっては、インジケータは、UE115が、キャリアアグリゲーション帯域組合せにおいて、第1のTTI持続時間における送信を処理することが可能でないことを示す。場合によっては、インジケータは、キャリアアグリゲーション帯域組合せのセットの各々において、第1のTTI持続時間における送信を処理するための、UE115の能力を示す。場合によっては、インジケータは、キャリアアグリゲーション帯域組合せにおいて、第1のTTI持続時間のアップリンクインスタンスにおける送信を処理するための、UE115の能力を示すアップリンクインジケータと、キャリアアグリゲーション帯域組合せにおいて、第1のTTI持続時間のダウンリンクインスタンスにおける送信を処理するための、UE115の能力を示すダウンリンクインジケータとを含む。場合によっては、インジケータは、キャリアアグリゲーション帯域組合せにおいて、第1の長さを有する第1のTTI持続時間の第1のインスタンスにおける送信を処理するための、UE115の能力と、キャリアアグリゲーション帯域組合せにおいて、第2の長さを有する第1のTTI持続時間の第2のインスタンスにおける送信を処理するための、UE115の能力とを示す。場合によっては、インジケータは、ePDCCHベースのスケジューリングが、キャリアアグリゲーション帯域組合せごとのコンポーネントキャリアごとにサポートされるかどうかを示す。場合によっては、インジケータは、DMRSベースのTMが、キャリアアグリゲーション帯域組合せごとのコンポーネントキャリアごとにサポートされるかどうかを示す。場合によっては、インジケータコンポーネント825は、第1のTTI持続時間のためのサポートのコンポーネントキャリアごとの指示を送信してもよい。場合によっては、指示は、能力に対する制約を指定する。
【０１４３】
場合によっては、1つまたは複数のサポートされた帯域または帯域組合せの各々における各帯域について、インジケータは、UE115が1つまたは複数のサポートされた帯域または帯域組合せの各々において動作する間、各帯域上の第1のTTI持続時間および第2のTTI持続時間を有する送信をサポートするための、UE115の能力を示す。場合によっては、インジケータは、UE115が1つまたは複数のサポートされた帯域または帯域組合せの各々において動作するときの能力に対する制約を示す。上記で説明した方法、装置、および非一時的コンピュータ可読媒体のいくつかの例では、制約は、UEの処理制約であってもよい。場合によっては、処理制約は、最大トランスポートブロックサイズ、リソースブロックの最大数、または両方に関連付けられた、破棄ウィンドウ深度である。場合によっては、処理制約は、拡張物理ダウンリンク制御チャネル(ePDCCH)ベースのスケジューリング、または復調基準信号(DMRS)ベースの送信モード(TM)、または両方に関連付けられる。場合によっては、インジケータコンポーネント825は、UE115が、1つまたは複数のサポートされた帯域または帯域組合せの各々において動作する間、第1のTTI持続時間および第2のTTI持続時間における送信を同時に処理することが可能であると判定してもよく、インジケータは、UE115が第1のTTI持続時間および第2のTTI持続時間における送信を同時に処理することが可能であることを表す。
【０１４４】
帯域コンポーネント830は、UE115によってサポートされ、それにおいてUE115が第1のTTI持続時間および第2のTTI持続時間における送信を同時に処理することが可能である、1つまたは複数のキャリアアグリゲーション帯域または帯域組合せを決定してもよく、その場合、インジケータは、決定された1つまたは複数のキャリアアグリゲーション帯域または帯域組合せに基づいて生成される。
【０１４５】
レイヤコンポーネント835は、UE115がキャリアアグリゲーション帯域組合せにおいて、コンポーネントキャリアごとにサポートするように構成される、空間レイヤの数を決定してもよく、その場合、インジケータは、決定された空間レイヤの数に基づいて生成される。レイヤコンポーネント835は、UE115がキャリアアグリゲーション帯域組合せにおいて、コンポーネントキャリアごとに第1の数の空間レイヤをサポートすることが可能であると判定してもよく、その場合、インジケータは、UE115が、第1の数の空間レイヤ未満である第2の数の空間レイヤをサポートすることが可能であることを示す。
【０１４６】
処理コンポーネント840は、能力に従って、第1のTTI持続時間の第1の情報と、第2のTTI持続時間の第2の情報とを処理し、第2のTTI持続時間の1つまたは複数のインスタンスにおいて受信された、第1の情報および第2の情報を処理し、第1の情報および第2の情報の処理持続時間が重複していると判定してもよい。
【０１４７】
ウィンドウコンポーネント845は、それにおいてUE115が第1のTTI持続時間より前に第2のTTI持続時間の1つまたは複数のインスタンスにおいて受信された第2の情報を破棄する深度を識別するために、破棄ウィンドウ深度を決定してもよく、その場合、インジケータは、破棄ウィンドウ深度を示す。
【０１４８】
しきい値コンポーネント850は、処理ウィンドウ内の第2の情報の最大トランスポートブロックサイズ(TBS)および/またはリソースブロックの数と、処理ウィンドウ内の第1の情報のTBSおよび/またはリソースブロックの数との和を決定し、和をしきい値と比較してもよい。一例では、しきい値コンポーネント850は、処理ウィンドウ内の最大PDSCH TBSおよび/またはRBの数と、ウィンドウ内のsPDSCH TBSおよび/またはRBの数との和を決定してもよい。一例では、しきい値コンポーネント850は、処理ウィンドウ内の最大PDSCH TBSおよび/またはRBの数と、ウィンドウ内のsPDSCH TBSおよび/またはRBの数との和を決定してもよい。
【０１４９】
比較器コンポーネント855は、和がしきい値を満たさないと判定してもよい。場合によっては、和をしきい値と比較することは、和がしきい値を満たすと判定することを含む。
【０１５０】
破棄コンポーネント860は、第2のTTI持続時間の1つまたは複数のインスタンスにおいて受信された第2の情報のうちの少なくともいくつかを破棄し、スケジュールされた第3の数のCCのうちの1つまたは複数においてトランスポートされた、第1のTTI持続時間の第1の情報、または第2のTTI持続時間の第2の情報のうちの一方または両方をドロップしてもよい。
【０１５１】
構成コンポーネント865は、インジケータに基づいて、UE115がサポートすることが可能である第2の数のコンポーネントキャリア(CC)を超える、キャリアアグリゲーション帯域組合せにおける第1の数のCCを用いて、UE115を構成する、構成メッセージを受信してもよい。場合によっては、第2の数のCCは、UE115がサポートするように構成される、インジケータにおいて指定された最大数のCCであってもよい。
【０１５２】
スケジューリングコンポーネント870は、基地局105が、第2の数のCCを超える、UE115のための第3の数のCCをスケジュールしたと判定してもよい。
【０１５３】
肯定応答コンポーネント875は、第1の情報または第2の情報のうちのドロップされた一方または両方のための否定応答を送信し、第1のTTI持続時間のための肯定応答タイムラインに基づく、第1の情報のための第1の肯定応答メッセージと、第2のTTI持続時間のための肯定応答タイムラインに基づく、第2の情報のための第2の肯定応答メッセージとを送信してもよい。
【０１５４】
関係コンポーネント880は、UE115が第1のTTI持続時間および第2のTTI持続時間のためにサポートするコンポーネントキャリア(CC)の数の間の関係を決定してもよく、その場合、インジケータは関係を示す。
【０１５５】
図9は、本開示の態様による、ユーザ機器能力に基づく短縮送信時間間隔構成をサポートする、デバイス905を含むシステム900の図を示す。デバイス905は、たとえば、図6および図7を参照しながら上記で説明したような、ワイヤレスデバイス605、ワイヤレスデバイス705、またはUE115のコンポーネントの一例であるか、またはそれらを含んでもよい。デバイス905は、UE通信マネージャ915と、プロセッサ920と、メモリ925と、ソフトウェア930と、トランシーバ935と、アンテナ940と、I/Oコントローラ945とを含む、通信を送信および受信するためのコンポーネントを含む、双方向音声およびデータ通信のためのコンポーネントを含んでもよい。これらのコンポーネントは、1つまたは複数のバス(たとえば、バス910)を介して電子通信してもよい。デバイス905は、1つまたは複数の基地局105とワイヤレス通信してもよい。
【０１５６】
プロセッサ920は、インテリジェントハードウェアデバイス(たとえば、汎用プロセッサ、DSP、中央処理ユニット(CPU)、マイクロコントローラ、ASIC、FPGA、プログラマブル論理デバイス、個別ゲートもしくはトランジスタ論理コンポーネント、個別ハードウェアコンポーネント、またはそれらの任意の組合せ)を含んでもよい。場合によっては、プロセッサ920は、メモリコントローラを使用して、メモリアレイを動作させるように構成されてもよい。他の場合には、メモリコントローラはプロセッサ920内に統合されてもよい。プロセッサ920は、様々な機能(たとえば、ユーザ機器能力に基づく短縮送信時間間隔構成をサポートする機能またはタスク)を実行するために、メモリの中に記憶されたコンピュータ可読命令を実行するように構成されてもよい。
【０１５７】
メモリ925は、ランダムアクセスメモリ(RAM)と読取り専用メモリ(ROM)とを含んでもよい。メモリ925は、実行されると、プロセッサに、本明細書で説明する様々な機能を実行させる命令を含む、コンピュータ可読、コンピュータ実行可能ソフトウェア930を記憶してもよい。いくつかの場合には、メモリ925は、特に、周辺コンポーネントまたはデバイスとの相互作用などの、基本的なハードウェアまたはソフトウェア動作を制御してもよい基本入出力システム(BIOS)を含んでもよい。
【０１５８】
ソフトウェア930は、ユーザ機器能力に基づく短縮送信時間間隔構成をサポートするためのコードを含む、本開示の態様を実装するためのコードを含んでもよい。ソフトウェア930は、システムメモリまたは他のメモリなど、非一時的コンピュータ可読媒体内に記憶されてもよい。場合によっては、ソフトウェア930は、プロセッサによって直接実行可能ではないことがあるが、(たとえば、コンパイルされ、実行されると)本明細書で説明する機能をコンピュータに実行させることがある。
【０１５９】
トランシーバ935は、上記で説明したように、1つまたは複数のアンテナ、ワイヤード、またはワイヤレスリンクを介して、双方向に通信してもよい。たとえば、トランシーバ935は、ワイヤレストランシーバを表すことがあり、別のワイヤレストランシーバと双方向に通信してもよい。トランシーバ935は、パケットを変調し、変調されたパケットを送信のためにアンテナに与え、かつアンテナから受信されたパケットを復調するためのモデムも含んでもよい。
【０１６０】
場合によっては、ワイヤレスデバイス905は、単一のアンテナ940を含んでもよい。しかしながら、場合によっては、デバイスは、複数のワイヤレス送信を同時に送信または受信することが可能であってもよい、2つ以上のアンテナ940を有してもよい。
【０１６１】
I/Oコントローラ945は、デバイス905のための入力信号および出力信号を管理してもよい。I/Oコントローラ945はまた、デバイス905に統合されていない周辺装置を管理してもよい。場合によっては、I/Oコントローラ945は、外部周辺装置への物理接続またはポートを表すことがある。場合によっては、I/Oコントローラ945は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなど、オペレーティングシステムを利用してもよい。他の場合には、I/Oコントローラ945は、モデム、キーボード、マウス、タッチスクリーン、または同様のデバイスを表すか、またはそれと対話してもよい。場合によっては、I/Oコントローラ945は、プロセッサの一部として実装されてもよい。場合によっては、ユーザは、I/Oコントローラ945を介して、またはI/Oコントローラ945によって制御されたハードウェアコンポーネントを介して、デバイス905と対話してもよい。
【０１６２】
図10は、本開示の態様による、ユーザ機器能力に基づく短縮送信時間間隔構成をサポートする、ワイヤレスデバイス1005のブロック図1000を示す。ワイヤレスデバイス1005は、本明細書で説明した基地局105の態様の一例であってもよい。ワイヤレスデバイス1005は、レシーバ1010と、基地局通信マネージャ1015と、トランスミッタ1020とを含んでもよい。ワイヤレスデバイス1005はまた、プロセッサを含んでもよい。これらのコンポーネントの各々は、(たとえば、1つまたは複数のバスを介して)互いに通信中であってもよい。
【０１６３】
レシーバ1010は、パケット、ユーザデータ、または様々な情報チャネルに関連付けられた制御情報(たとえば、制御チャネル、データチャネル、およびユーザ機器能力に基づく短縮送信時間間隔構成に関する情報など)などの情報を受信してもよい。情報はデバイスの他のコンポーネントに渡されてもよい。レシーバ1010は、図13を参照しながら説明するトランシーバ1335の態様の一例であってもよい。レシーバ1010は、単一のアンテナまたはアンテナのセットを利用してもよい。
【０１６４】
基地局通信マネージャ1015は、図13を参照しながら説明する基地局通信マネージャ1315の態様の一例であってもよい。
【０１６５】
基地局通信マネージャ1015および/またはその様々なサブコンポーネントのうちの少なくともいくつかは、ハードウェア、プロセッサによって実行されるソフトウェア、ファームウェア、またはそれらの任意の組合せで実装されてもよい。プロセッサによって実行されるソフトウェアで実装される場合、基地局通信マネージャ1015および/またはその様々なサブコンポーネントのうちの少なくともいくつかの機能は、汎用プロセッサ、DSP、ASIC、FPGAもしくは他のプログラマブル論理デバイス、個別ゲートもしくはトランジスタ論理、個別ハードウェアコンポーネント、または本開示で説明する機能を実行するように設計されたそれらの任意の組合せによって実行されてもよい。基地局通信マネージャ1015および/またはその様々なサブコンポーネントのうちの少なくともいくつかは、機能の一部が1つまたは複数の物理デバイスによって異なる物理的ロケーションにおいて実装されるように分散されることを含む、様々な位置に物理的に配置されてもよい。いくつかの例では、基地局通信マネージャ1015および/またはその様々なサブコンポーネントのうちの少なくともいくつかは、本開示の様々な態様による別個のおよび異なるコンポーネントであってもよい。他の例では、基地局通信マネージャ1015および/またはその様々なサブコンポーネントのうちの少なくともいくつかは、限定はしないが、I/Oコンポーネント、トランシーバ、ネットワークサーバ、別のコンピューティングデバイス、本開示で説明した1つまたは複数の他のコンポーネント、あるいは本開示の様々な態様によるそれらの組合せを含む、1つまたは複数の他のハードウェアコンポーネントと組み合わせられてもよい。
【０１６６】
基地局通信マネージャ1015は、1つまたは複数のサポートされた帯域または帯域組合せの各々について、第1のTTI持続時間および第2のTTI持続時間を有する送信を処理するための、UE115の能力を表すインジケータを受信することであって、第1のTTI持続時間が第2のTTI持続時間よりも短い、受信すること、受信されたインジケータに少なくとも部分的に基づいて、1つまたは複数のサポートされた帯域または帯域組合せのうちの第1のサポートされた帯域または帯域組合せの周波数帯域内で、コンポーネントキャリアをスケジュールすること、ならびにスケジューリングに少なくとも部分的に基づいて、コンポーネントキャリアの周波数帯域内で情報を送信することを行ってもよい。
【０１６７】
トランスミッタ1020は、デバイスの他のコンポーネントによって生成された信号を送信してもよい。いくつかの例では、トランスミッタ1020は、トランシーバモジュールにおいてレシーバ1010とコロケートされてもよい。たとえば、トランスミッタ1020は、図13を参照しながら説明するトランシーバ1335の態様の一例であってもよい。トランスミッタ1020は、単一のアンテナまたはアンテナのセットを利用してもよい。
【０１６８】
図11は、本開示の態様による、ユーザ機器能力に基づく短縮送信時間間隔構成をサポートする、ワイヤレスデバイス1105のブロック図1100を示す。ワイヤレスデバイス1105は、図10を参照しながら説明したようなワイヤレスデバイス1005または基地局105の態様の一例であってもよい。ワイヤレスデバイス1105は、レシーバ1110と、基地局通信マネージャ1115と、トランスミッタ1120とを含んでもよい。ワイヤレスデバイス1105はまた、プロセッサを含んでもよい。これらのコンポーネントの各々は、(たとえば、1つまたは複数のバスを介して)互いに通信中であってもよい。
【０１６９】
レシーバ1110は、パケット、ユーザデータ、または様々な情報チャネルに関連付けられた制御情報(たとえば、制御チャネル、データチャネル、およびユーザ機器能力に基づく短縮送信時間間隔構成に関する情報など)などの情報を受信してもよい。情報はデバイスの他のコンポーネントに渡されてもよい。レシーバ1110は、図13を参照しながら説明するトランシーバ1335の態様の一例であってもよい。レシーバ1110は、単一のアンテナまたはアンテナのセットを利用してもよい。
【０１７０】
基地局通信マネージャ1115は、図13を参照しながら説明する基地局通信マネージャ1315の態様の一例であってもよい。
【０１７１】
基地局通信マネージャ1115はまた、インジケータコンポーネント1125と、スケジューリングコンポーネント1130と、情報コンポーネント1135とを含んでもよい。
【０１７２】
インジケータコンポーネント1125は、1つまたは複数のサポートされた帯域または帯域組合せの各々について、第1のTTI持続時間および第2のTTI持続時間を有する送信を処理するための、UE115の能力を表すインジケータを受信することであって、第1のTTI持続時間が第2のTTI持続時間よりも短い、決定すること、UE115がサポートするように構成される周波数帯域内のコンポーネントキャリア(CC)の第1の数を決定するために、インジケータを処理すること、ならびにUE115が第1のTTI持続時間および第2のTTI持続時間のためにサポートするコンポーネントキャリアの数の間の関係を決定するために、インジケータを処理することであって、その場合、コンポーネントキャリアをスケジュールすることが関係に基づく、処理することを行ってもよい。
【０１７３】
スケジューリングコンポーネント1130は、受信されたインジケータに少なくとも部分的に基づいて、1つまたは複数のサポートされた帯域または帯域組合せのうちの第1のサポートされた帯域または帯域組合せの周波数帯域内で、コンポーネントキャリアをスケジュールしてもよい。場合によっては、スケジューリングコンポーネント1130は、周波数帯域内でUE115のための第2の数のCCをスケジュールしてもよく、ここで第2の数のCCがCCの第1の数を超える。
【０１７４】
情報コンポーネント1135は、スケジューリングに少なくとも部分的に基づいて、コンポーネントキャリアの周波数帯域内で情報を送信してもよい。場合によっては、コンポーネントキャリアの周波数帯域内で情報を送信することは、第1のTTI持続時間において第1の情報、および第2のTTI持続時間において第2の情報を送信することを含む。
【０１７５】
トランスミッタ1120は、デバイスの他のコンポーネントによって生成された信号を送信してもよい。いくつかの例では、トランスミッタ1120は、トランシーバモジュールにおいてレシーバ1110とコロケートされてもよい。たとえば、トランスミッタ1120は、図13を参照しながら説明するトランシーバ1335の態様の一例であってもよい。トランスミッタ1120は、単一のアンテナまたはアンテナのセットを利用してもよい。
【０１７６】
図12は、本開示の態様による、ユーザ機器能力に基づく短縮送信時間間隔構成をサポートする、基地局通信マネージャ1215のブロック図1200を示す。基地局通信マネージャ1215は、図10、図11、および図13を参照しながら説明する基地局通信マネージャ1015、1115、または1315の態様の一例であってもよい。基地局通信マネージャ1215は、インジケータコンポーネント1220と、スケジューリングコンポーネント1225と、情報コンポーネント1230と、構成コンポーネント1235と、肯定応答コンポーネント1240とを含んでもよい。これらのモジュールの各々は、(たとえば、1つまたは複数のバスを介して)直接または間接的に互いに通信してもよい。
【０１７７】
インジケータコンポーネント1220は、1つまたは複数のサポートされた帯域または帯域組合せの各々について、第1のTTI持続時間および第2のTTI持続時間を有する送信を処理するための、UE115の能力を表すインジケータを受信することであって、第1のTTI持続時間が第2のTTI持続時間よりも短い、受信すること、UE115がサポートするように構成される周波数帯域内のコンポーネントキャリア(CC)の第1の数を決定するために、インジケータを処理すること、ならびにUE115が第1のTTI持続時間および第2のTTI持続時間のためにサポートするコンポーネントキャリアの数の間の関係を決定するために、インジケータを処理することであって、その場合、コンポーネントキャリアをスケジュールすることが関係に基づく、処理することを行ってもよい。
【０１７８】
スケジューリングコンポーネント1225は、受信されたインジケータに少なくとも部分的に基づいて、1つまたは複数のサポートされた帯域または帯域組合せのうちの第1のサポートされた帯域または帯域組合せの周波数帯域内で、コンポーネントキャリアをスケジュールしてもよい。場合によっては、スケジューリングコンポーネント1225は、周波数帯域内でUE115のための第2の数のCCをスケジュールしてもよく、ここで第2の数のCCがCCの第1の数を超える。
【０１７９】
情報コンポーネント1230は、スケジューリングに少なくとも部分的に基づいて、コンポーネントキャリアの周波数帯域内で情報を送信してもよい。場合によっては、コンポーネントキャリアの周波数帯域内で情報を送信することは、第1のTTI持続時間において第1の情報、および第2のTTI持続時間において第2の情報を送信することを含む。
【０１８０】
構成コンポーネント1235は、第2の数のCCを用いてUE115を構成してもよく、ここで第2の数のCCが、UE115がサポートするように構成される、インジケータにおいて指定されたCCの最大数を超える。
【０１８１】
肯定応答コンポーネント1240は、第1のTTI持続時間のための肯定応答タイムラインに基づく、第1の情報のための第1の肯定応答メッセージと、第2のTTI持続時間のための肯定応答タイムラインに基づく、第2の情報のための第2の肯定応答メッセージとを受信してもよい。
【０１８２】
図13は、本開示の態様による、ユーザ機器能力に基づく短縮送信時間間隔構成をサポートする、デバイス1305を含むシステム1300の図を示す。デバイス1305は、たとえば、図1を参照しながら上記で説明したような基地局105のコンポーネントの一例であってもよいか、またはそれらのコンポーネントを含んでもよい。デバイス1305は、基地局通信マネージャ1315と、プロセッサ1320と、メモリ1325と、ソフトウェア1330と、トランシーバ1335と、アンテナ1340と、ネットワーク通信マネージャ1345と、局間通信マネージャ1350とを含む、通信を送信および受信するためのコンポーネントを含む、双方向音声およびデータ通信のためのコンポーネントを含んでもよい。これらのコンポーネントは、1つまたは複数のバス(たとえば、バス1310)を介して電子通信してもよい。デバイス1305は、1つまたは複数のUE115とワイヤレス通信してもよい。
【０１８３】
プロセッサ1320は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理コンポーネント、個別ハードウェアコンポーネント、またはそれらの任意の組合せ)を含んでもよい。場合によっては、プロセッサ1320は、メモリコントローラを使用して、メモリアレイを動作させるように構成されてもよい。他の場合には、メモリコントローラはプロセッサ1320内に統合されてもよい。プロセッサ1320は、様々な機能(たとえば、ユーザ機器能力に基づく短縮送信時間間隔構成をサポートする機能またはタスク)を実行するために、メモリの中に記憶されたコンピュータ可読命令を実行するように構成されてもよい。
【０１８４】
メモリ1325は、RAMとROMとを含んでもよい。メモリ1325は、実行されると、プロセッサに、本明細書で説明する様々な機能を実行させる命令を含む、コンピュータ可読、コンピュータ実行可能ソフトウェア1330を記憶してもよい。いくつかの場合には、メモリ1325は、特に、周辺コンポーネントまたはデバイスとの相互作用などの、基本的なハードウェアまたはソフトウェア動作を制御してもよいBIOSを含んでもよい。
【０１８５】
ソフトウェア1330は、ユーザ機器能力に基づく短縮送信時間間隔構成をサポートするためのコードを含む、本開示の態様を実装するためのコードを含んでもよい。ソフトウェア1330は、システムメモリまたは他のメモリなど、非一時的コンピュータ可読媒体内に記憶されてもよい。場合によっては、ソフトウェア1330は、プロセッサ1320によって直接実行可能ではないことがあるが、(たとえば、コンパイルされ、実行されると)本明細書で説明する機能をコンピュータに実行させることがある。
【０１８６】
トランシーバ1335は、上記で説明したように、1つまたは複数のアンテナ、ワイヤード、またはワイヤレスリンクを介して、双方向に通信してもよい。たとえば、トランシーバ1335は、ワイヤレストランシーバを表すことがあり、別のワイヤレストランシーバと双方向に通信してもよい。トランシーバ1335は、パケットを変調し、変調されたパケットを送信のためにアンテナに与え、かつアンテナから受信されたパケットを復調するためのモデムも含んでもよい。
【０１８７】
場合によっては、ワイヤレスデバイスは、単一のアンテナ1340を含んでもよい。しかしながら、場合によっては、デバイスは、複数のワイヤレス送信を同時に送信または受信することが可能であってもよい、2つ以上のアンテナ1340を有してもよい。
【０１８８】
ネットワーク通信マネージャ1345は、(たとえば、1つまたは複数のワイヤードバックホールリンクを介した)コアネットワークとの通信を管理してもよい。たとえば、ネットワーク通信マネージャ1345は、1つまたは複数のUE115などのクライアントデバイス用のデータ通信の転送を管理してもよい。
【０１８９】
局間通信マネージャ1350は、他の基地局105との通信を管理してもよく、他の基地局105と協調してUE115との通信を制御するためのコントローラまたはスケジューラを含んでもよい。たとえば、局間通信マネージャ1350は、ビームフォーミングまたはジョイント送信などの様々な干渉軽減技法のために、UE115への送信のためのスケジューリングを協調させてもよい。いくつかの例では、局間通信マネージャ1350は、基地局105間の通信を行うために、ロングタームエボリューション(LTE)/LTE-Aワイヤレス通信ネットワーク技術内のX2インターフェースを提供してもよい。
【０１９０】
図14は、本開示の態様による、ユーザ機器能力に基づく短縮送信時間間隔構成のための方法1400を示すフローチャートを示す。方法1400の動作は、本明細書で説明するように、UE115またはそのコンポーネントによって実施されてもよい。たとえば、方法1400の動作は、図6〜図9を参照しながら説明したように、UE通信マネージャ615、715、815、および915によって実行されてもよい。いくつかの例では、UE115は、以下で説明する機能を実行するようにデバイスの機能要素を制御するためのコードのセットを実行してもよい。追加または代替として、UE115は、専用ハードウェアを使用して、以下で説明する機能の態様を実行してもよい。
【０１９１】
ブロック1405で、UE115は、1つまたは複数のサポートされた帯域または帯域組合せの各々について、第1のTTI持続時間および第2のTTI持続時間を有する送信を処理するための、UE115の能力を決定することであって、第1のTTI持続時間が第2のTTI持続時間よりも短い、決定することを行ってもよい。ブロック1405の動作は、本明細書で説明する方法に従って実行されてもよい。いくつかの例では、ブロック1405の動作の態様は、図7および図8を参照しながら説明したように、能力コンポーネント725および820によって実行されてもよい。
【０１９２】
ブロック1410で、UE115は、基地局に、1つまたは複数のサポートされた帯域または帯域組合せの各々についての能力を表すインジケータを送信してもよい。ブロック1410の動作は、本明細書で説明する方法に従って実行されてもよい。いくつかの例では、ブロック1410の動作の態様は、図7および図8を参照しながら説明したように、インジケータコンポーネント730および825によって実行されてもよい。
【０１９３】
図15は、本開示の態様による、ユーザ機器能力に基づく短縮送信時間間隔構成のための方法1500を示すフローチャートを示す。方法1500の動作は、本明細書で説明するように、UE115またはそのコンポーネントによって実施されてもよい。たとえば、方法1500の動作は、図6〜図9を参照しながら説明したように、UE通信マネージャ615、715、815、および915によって実行されてもよい。いくつかの例では、UE115は、以下で説明する機能を実行するようにデバイスの機能要素を制御するためのコードのセットを実行してもよい。追加または代替として、UE115は、専用ハードウェアを使用して、以下で説明する機能の態様を実行してもよい。
【０１９４】
ブロック1505で、UE115は、1つまたは複数のサポートされた帯域または帯域組合せの各々について、第1のTTI持続時間および第2のTTI持続時間を有する送信を処理するための、UE115の能力を決定することであって、第1のTTI持続時間が第2のTTI持続時間よりも短い、決定することを行ってもよい。ブロック1505の動作は、本明細書で説明する方法に従って実行されてもよい。いくつかの例では、ブロック1505の動作の態様は、図7および図8を参照しながら説明したように、能力コンポーネント725および820によって実行されてもよい。
【０１９５】
ブロック1510で、UE115は、1つまたは複数のサポートされた帯域組合せの各々についての能力を表すインジケータを生成してもよい。ブロック1510の動作は、本明細書で説明する方法に従って実行されてもよい。いくつかの例では、ブロック1510の動作の態様は、図7および図8を参照しながら説明したように、インジケータコンポーネント730および825によって実行されてもよい。
【０１９６】
ブロック1515で、UE115は、基地局にインジケータを送信してもよい。ブロック1515の動作は、本明細書で説明する方法に従って実行されてもよい。いくつかの例では、ブロック1515の動作の態様は、図7および図8を参照しながら説明したように、インジケータコンポーネント730および825によって実行されてもよい。
【０１９７】
ブロック1520で、UE115は、インジケータに少なくとも部分的に基づいて、UEがサポートすることが可能である第2の数のコンポーネントキャリア(CC)を超える、キャリアアグリゲーション帯域組合せにおける第1の数のCCを用いて、UEを構成する、構成メッセージを受信してもよい。ブロック1520の動作は、本明細書で説明する方法に従って実行されてもよい。いくつかの例では、ブロック1520の動作の態様は、図8を参照しながら説明したように、構成コンポーネント865によって実行されてもよい。
【０１９８】
ブロック1525で、UE115は、基地局が、第2の数のCCを超える、UEのための第3の数のCCをスケジュールしたと判定してもよい。ブロック1525の動作は、本明細書で説明する方法に従って実行されてもよい。いくつかの例では、ブロック1525の動作の態様は、図8を参照しながら説明したように、スケジューリングコンポーネント870によって実行されてもよい。
【０１９９】
ブロック1530で、UE115は、スケジュールされた第3の数のCCのうちの1つまたは複数においてトランスポートされた、第1のTTI持続時間の第1の情報、または第2のTTI持続時間の第2の情報のうちの一方または両方をドロップしてもよい。ブロック1530の動作は、本明細書で説明する方法に従って実行されてもよい。いくつかの例では、ブロック1530の動作の態様は、図8を参照しながら説明したように、破棄コンポーネント860によって実行されてもよい。
【０２００】
ブロック1535で、UE115は、第1の情報または第2の情報のうちのドロップされた一方または両方のための否定応答を送信してもよい。ブロック1535の動作は、本明細書で説明する方法に従って実行されてもよい。いくつかの例では、ブロック1535の動作の態様は、図8を参照しながら説明したように、肯定応答コンポーネント875によって実行されてもよい。
【０２０１】
図16は、本開示の態様による、ユーザ機器能力に基づく短縮送信時間間隔構成のための方法1600を示すフローチャートを示す。方法1600の動作は、本明細書で説明するように、基地局105またはそのコンポーネントによって実施されてもよい。たとえば、方法1600の動作は、図10〜図13を参照しながら説明したように、基地局通信マネージャ1015、1115、1215、および1315によって実行されてもよい。いくつかの例では、基地局105は、以下で説明する機能を実行するようにデバイスの機能要素を制御するためのコードのセットを実行してもよい。追加または代替として、基地局105は、専用ハードウェアを使用して、以下で説明する機能の態様を実行してもよい。
【０２０２】
ブロック1605で、基地局105は、1つまたは複数のサポートされた帯域または帯域組合せの各々について、第1のTTI持続時間および第2のTTI持続時間を有する送信を処理するための、UE115の能力を表すインジケータを受信することであって、第1のTTI持続時間が第2のTTI持続時間よりも短い、受信することを行ってもよい。ブロック1605の動作は、本明細書で説明する方法に従って実行されてもよい。いくつかの例では、ブロック1605の動作の態様は、図11および図12を参照しながら説明したように、インジケータコンポーネント1125および1220によって実行されてもよい。
【０２０３】
ブロック1610で、基地局105は、受信されたインジケータに少なくとも部分的に基づいて、1つまたは複数のサポートされた帯域または帯域組合せのうちの第1のサポートされた帯域または帯域組合せの周波数帯域内で、コンポーネントキャリアをスケジュールしてもよい。ブロック1610の動作は、本明細書で説明する方法に従って実行されてもよい。いくつかの例では、ブロック1610の動作の態様は、図11および図12を参照しながら説明したように、スケジューリングコンポーネント1130および1225によって実行されてもよい。
【０２０４】
ブロック1615で、基地局105は、スケジューリングに少なくとも部分的に基づいて、コンポーネントキャリアの周波数帯域内で情報を送信してもよい。ブロック1615の動作は、本明細書で説明する方法に従って実行されてもよい。いくつかの例では、ブロック1615の動作の態様は、図11および図12を参照しながら説明したように、情報コンポーネント1135および1230によって実行されてもよい。
【０２０５】
図17は、本開示の態様による、ユーザ機器能力に基づく短縮送信時間間隔構成のための方法1700を示すフローチャートを示す。方法1700の動作は、本明細書で説明するように、基地局105またはそのコンポーネントによって実施されてもよい。たとえば、方法1700の動作は、図10〜図13を参照しながら説明したように、基地局通信マネージャ1015、1115、1215、および1315によって実行されてもよい。いくつかの例では、基地局105は、以下で説明する機能を実行するようにデバイスの機能要素を制御するためのコードのセットを実行してもよい。追加または代替として、基地局105は、専用ハードウェアを使用して、以下で説明する機能の態様を実行してもよい。
【０２０６】
ブロック1705で、基地局105は、コンポーネントキャリアの周波数帯域内で、第1のTTI持続時間および第2のTTI持続時間における送信を同時に処理するためにUEの能力を表すインジケータを受信することであって、第1のTTI持続時間が、第2のTTI持続時間未満である持続時間を有する、受信することを行ってもよい。ブロック1705の動作は、本明細書で説明する方法に従って実行されてもよい。いくつかの例では、ブロック1705の動作の態様は、図11および図12を参照しながら説明したように、インジケータコンポーネント1125および1220によって実行されてもよい。
【０２０７】
ブロック1710で、基地局105は、受信されたインジケータに少なくとも部分的に基づいて、コンポーネントキャリアをスケジュールしてもよい。ブロック1710の動作は、本明細書で説明する方法に従って実行されてもよい。いくつかの例では、ブロック1710の動作の態様は、図11および図12を参照しながら説明したように、スケジューリングコンポーネント1130および1225によって実行されてもよい。
【０２０８】
ブロック1715で、基地局105は、スケジューリングに少なくとも部分的に基づいて、コンポーネントキャリアの周波数帯域内で、第1のTTI持続時間において第1の情報、および第2のTTI持続時間において第2の情報を送信してもよい。ブロック1715の動作は、本明細書で説明する方法に従って実行されてもよい。いくつかの例では、ブロック1715の動作の態様は、図11および図12を参照しながら説明したように、情報コンポーネント1135および1230によって実行されてもよい。
【０２０９】
ブロック1720で、基地局105は、第1のTTI持続時間のための肯定応答タイムラインに少なくとも部分的に基づく、第1の情報のための第1の肯定応答メッセージと、第2のTTI持続時間のための肯定応答タイムラインに少なくとも部分的に基づく、第2の情報のための第2の肯定応答メッセージとを受信してもよい。ブロック1720の動作は、本明細書で説明する方法に従って実行されてもよい。いくつかの例では、ブロック1720の動作の態様は、図12を参照しながら説明したように、肯定応答コンポーネント1240によって実行されてもよい。
【０２１０】
上記で説明した方法は、可能な実装形態について説明しており、動作およびステップは、再構成されるか、または他の方法で修正されてもよく、他の実装形態が可能であることに留意されたい。さらに、方法のうちの2つ以上からの態様が組み合わせられてよい。
【０２１１】
本明細書で説明する技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなど、様々なワイヤレス通信システムのために使用されてもよい。「システム」および「ネットワーク」という用語は、しばしば、互換的に使用される。符号分割多元接続(CDMA)システムは、CDMA2000、ユニバーサル地上波無線アクセス(UTRA)などの無線技術を実装することがある。CDMA2000は、IS-2000規格、IS-95規格、およびIS-856規格を対象とする。IS-2000リリースは、通常、CDMA2000 1X、1Xなどと呼ばれることがある。IS-856(TIA-856)は、一般に、CDMA2000 1xEV-DO、高速パケットデータ(HRPD)などと呼ばれる。UTRAは、広帯域CDMA(WCDMA(登録商標))、およびCDMAの他の変形態を含む。TDMAシステムは、モバイル通信用グローバルシステム(GSM(登録商標))などの無線技術を実装してもよい。
【０２１２】
OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装してもよい。UTRAおよびE-UTRAは、ユニバーサルモバイルテレコミュニケーションズシステム(UMTS)の一部である。LTEおよびLTE-Aは、E-UTRAを使用するUMTSのリリースである。UTRA、E-UTRA、UMTS、LTE、LTE-A、NR、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明する技法は、上述のシステムおよび無線技術ならびに他のシステムおよび無線技術のために使用されてもよい。LTEまたはNRシステムの態様について例として説明することがあり、説明の大部分においてLTEまたはNR用語が使用されることがあるが、本明細書で説明する技法は、LTEまたはNR適用例以外に適用可能である。
【０２１３】
本明細書で説明するそのようなネットワークを含むLTE/LTE-Aネットワークでは、発展型ノードB(eNB)という用語は、概して、基地局を表すために使用されてもよい。本明細書で説明する1つまたは複数のワイヤレス通信システムは、異なるタイプのeNBが様々な地理的領域にカバレージを提供する異種LTE/LTE-AまたはNRネットワークを含んでもよい。たとえば、各eNB、次世代ノードB(gNB)、または基地局は、マクロセル、スモールセル、または他のタイプのセルに通信カバレージを提供してもよい。「セル」という用語は、文脈に応じて、基地局、基地局に関連するキャリアもしくはコンポーネントキャリア、またはキャリアもしくは基地局のカバレージエリア(たとえば、セクタなど)を表すために使用されてもよい。
【０２１４】
基地局は、基地トランシーバ局、無線基地局、アクセスポイント、無線トランシーバ、ノードB、eノードB(eNB)、gNB、ホームノードB、ホームeノードB、または何らかの他の好適な用語を含むことがあるか、またはそのように当業者によって呼ばれることがある。基地局のための地理的カバレージエリアは、カバレージエリアの一部分のみを構成するセクタに分割されてもよい。本明細書で説明する1つまたは複数のワイヤレス通信システムは、異なるタイプの基地局(たとえば、マクロ基地局またはスモールセル基地局)を含んでもよい。本明細書で説明するUEは、マクロeNB、スモールセルeNB、gNB、リレー基地局などを含む、様々なタイプの基地局およびネットワーク機器と通信することが可能である場合がある。異なる技術向けの地理的カバレージエリアが重複する場合がある。
【０２１５】
マクロセルは一般に、比較的大きい地理的エリア(たとえば、半径数キロメートル)をカバーし、ネットワークプロバイダのサービスに加入しているUEによる無制限アクセスを可能にしてもよい。スモールセルは、マクロセルと比較して、同じまたは異なる(たとえば、認可、無認可などの)周波数帯域内でマクロセルとして動作する場合がある低電力基地局である。スモールセルは、様々な例によれば、ピコセル、フェムトセル、およびマイクロセルを含んでもよい。ピコセルは、たとえば、小さい地理的エリアをカバーすることがあり、ネットワークプロバイダのサービスに加入しているUEによる無制限アクセスを可能にしてもよい。フェムトセルも、小さい地理的エリア(たとえば、自宅)をカバーしてもよく、フェムトセルとの関連付けを有するUE(たとえば、限定加入者グループ(CSG:Closed Subscriber Group)の中のUE、自宅の中のユーザ用のUEなど)による制限付きアクセスを提供してもよい。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数の(たとえば、2つ、3つ、4つなどの)セル(たとえば、コンポーネントキャリア)をサポートしてもよい。
【０２１６】
本明細書で説明する1つまたは複数のワイヤレス通信システムは、同期動作または非同期動作をサポートすることがある。同期動作の場合、基地局は、類似のフレームタイミングを有することがあり、異なる基地局からの送信は、時間的にほぼ整合されることがある。非同期動作の場合、基地局は、異なるフレームタイミングを有することがあり、異なる基地局からの送信は、時間的に整合されないことがある。本明細書で説明する技法は、同期動作または非同期動作のいずれに使用されてもよい。
【０２１７】
本明細書で説明するダウンリンク送信は順方向リンク送信と呼ばれることもあり、アップリンク送信は逆方向リンク送信と呼ばれることもある。たとえば、図1および図2のワイヤレス通信システム100および200を含む、本明細書で説明する各通信リンクは、1つまたは複数のキャリアを含んでもよく、各キャリアは、複数のサブキャリア(たとえば、異なる周波数の波形信号)から構成される信号であってもよい。
【０２１８】
添付の図面に関して本明細書に記載した説明は、例示的な構成について説明しており、実装されてもよいまたは特許請求の範囲内に入るすべての例を表すとは限らない。本明細書で使用する「例示的」という用語は、「例、事例、または例示として役立つ」ことを意味し、「好ましい」または「他の例よりも有利な」を意味するものではない。詳細な説明は、説明した技法を理解することを目的とした具体的な詳細を含む。しかしながら、これらの技法は、これらの具体的な詳細を伴うことなく実践されてもよい。いくつかの事例では、説明した例の概念を不明瞭にすることを避けるために、よく知られている構造およびデバイスがブロック図の形態で示される。
【０２１９】
添付の図面では、類似のコンポーネントまたは特徴は、同じ参照ラベルを有してもよい。さらに、同じタイプの様々なコンポーネントが、参照ラベルの後に、ダッシュおよび類似のコンポーネントを区別する第2のラベルを続けることによって区別されてもよい。第1の参照ラベルのみが本明細書で使用される場合、説明は、第2の参照ラベルにかかわらず、同じ第1の参照ラベルを有する類似のコンポーネントのいずれにも適用可能である。
【０２２０】
本明細書で説明する情報および信号は、多種多様な技術および技法のいずれかを使用して表される場合がある。たとえば、上記の説明全体にわたって言及されることがあるデータ、命令、コマンド、情報、信号、ビット、シンボル、およびチップは、電圧、電流、電磁波、磁場もしくは磁性粒子、光場もしくは光学粒子、またはそれらの任意の組合せによって表されることがある。
【０２２１】
本明細書の本開示に関して説明する様々な例示的なブロックおよびモジュールは、汎用プロセッサ、DSP、ASIC、FPGAもしくは他のプログラマブル論理デバイス、個別ゲートもしくはトランジスタ論理、個別ハードウェアコンポーネント、または本明細書で説明する機能を実行するように設計されたそれらの任意の組合せを用いて実装または実行されてもよい。汎用プロセッサは、マイクロプロセッサであってもよいが、代替として、プロセッサは、任意の従来のプロセッサ、コントローラ、マイクロコントローラ、またはステートマシンであってもよい。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)としても実装されてもよい。
【０２２２】
本明細書で説明する機能は、ハードウェア、プロセッサによって実行されるソフトウェア、ファームウェア、またはそれらの任意の組合せにおいて実装されてもよい。プロセッサによって実行されるソフトウェアにおいて実装される場合、機能は、1つまたは複数の命令またはコードとして、コンピュータ可読媒体上に記憶され、またはコンピュータ可読媒体を介して送信されてもよい。他の例および実装形態は、本開示および添付の特許請求の範囲の範囲内に入る。たとえば、ソフトウェアの性質に起因して、上記で説明した機能は、プロセッサ、ハードウェア、ファームウェア、ハードワイヤリング、またはこれらのうちのいずれかの組合せによって実行されるソフトウェアを使用して実装されてもよい。機能を実装する特徴はまた、異なる物理的ロケーションにおいて機能の部分が実装されるように分散されることを含めて、様々な位置に物理的に配置されてもよい。また、特許請求の範囲内を含む本明細書で使用する場合、項目のリスト(たとえば、「のうちの少なくとも1つ」または「のうちの1つまたは複数」などの句で終わる項目のリスト)内で使用される「または」は、たとえば、A、B、またはCのうちの少なくとも1つのリストが、AまたはBまたはCまたはABまたはACまたはBCまたはABC(すなわち、AおよびBおよびC)を意味するような包括的リストを示す。また、本明細書で使用する「に基づいて」という句は、条件の閉集合を指すものと解釈されるべきではない。たとえば、「条件Aに基づいて」として説明する例示的なステップは、本開示の範囲から逸脱することなく、条件Aと条件Bの両方に基づいてもよい。言い換えれば、本明細書で使用する「に基づいて」という句は、「に少なくとも部分的に基づいて」という句と同じように解釈されるべきである。
【０２２３】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用または専用コンピュータによってアクセスされてもよい任意の利用可能な媒体であってもよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは命令またはデータ構造の形態の所望のプログラムコード手段を担持または記憶するために使用されてもよく、汎用コンピュータもしくは専用コンピュータまたは汎用プロセッサもしくは専用プロセッサによってアクセスされてもよい任意の他の非一時的媒体を備えてもよい。また、任意の接続が、コンピュータ可読媒体と適切に呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【０２２４】
本明細書の説明は、当業者が本開示を作成または使用することを可能にするために提供される。本開示に対する様々な修正は、当業者に容易に明らかになり、本明細書で定義された一般原理は、本開示の範囲から逸脱することなく他の変形形態に適用されてもよい。したがって、本開示は、本明細書で説明する例および設計に限定されず、本明細書で開示する原理および新規の特徴と一致する最も広い範囲を与えられるべきである。
【符号の説明】
【０２２５】
100  ワイヤレス通信システム、ワイヤレスシステム
105  基地局、発展型ノードB(eNB)
105-a  基地局
110  地理的カバレージエリア、カバレージエリア
115、115-a  UE
125、215  通信リンク
130  コアネットワーク
132、134  バックホールリンク
200  ワイヤレス通信システム
215-a、215-b  アップリンク通信リンク
215-c、215-d、215-e  ダウンリンク通信リンク
300  フレーム構造
305  フレーム
310  サブフレーム
315  TTI、TTI持続時間
320、320-a、320-b、320-c、320-d  sTTI
505  バッファタイムライン
510  処理タイムライン
515  PDSCH処理ウィンドウ、処理ウィンドウ
520  sPDSCH処理ウィンドウ
525  破棄ウィンドウ深度
605、705、1005、1105  ワイヤレスデバイス
610、710、1010、1110  レシーバ
615、715、815、915  UE通信マネージャ
620、720、1020、1120  トランスミッタ
725、820  能力コンポーネント
730、825、1125、1220  インジケータコンポーネント
830  帯域コンポーネント
835  レイヤコンポーネント
840  処理コンポーネント
845  ウィンドウコンポーネント
850  しきい値コンポーネント
855  比較器コンポーネント
860  破棄コンポーネント
865、1235  構成コンポーネント
870、1130、1225  スケジューリングコンポーネント
875、1240  肯定応答コンポーネント
880  関係コンポーネント
900、1300  システム
905  デバイス、ワイヤレスデバイス
910、1310  バス
920、1320  プロセッサ
925、1325  メモリ
930、1330  ソフトウェア、コンピュータ可読、コンピュータ実行可能ソフトウェア
935、1335  トランシーバ
940、1340  アンテナ
945  I/Oコントローラ
1015、1115、1215、1315  基地局通信マネージャ
1135、1230  情報コンポーネント
1305  デバイス
1345  ネットワーク通信マネージャ
1350  局間通信マネージャ
【図１】
2020519085.tif 000003
【図２】
2020519085.tif 000004
【図３】
2020519085.tif 000005
【図４】
2020519085.tif 000006
【図５】
2020519085.tif 000007
【図６】
2020519085.tif 000008
【図７】
2020519085.tif 000009
【図８】
2020519085.tif 000010
【図９】
2020519085.tif 000011
【図１０】
2020519085.tif 000012
【図１１】
2020519085.tif 000013
【図１２】
2020519085.tif 000014
【図１３】
2020519085.tif 000015
【図１４】
2020519085.tif 000016
【図１５】
2020519085.tif 000017
【図１６】
2020519085.tif 000018
【図１７】
2020519085.tif 000019
【国際調査報告】
2020519085.tif 000020
2020519085.tif 000021